(57)【特許請求の範囲】
【請求項１】
陰唇間パッドを個別包装するための包装容器であって、
当該包装容器は当該包装容器を２個の切片に切り離す分離部を備えるものであり、
当該切り離された後のそれぞれの切片が前記陰唇間パッドの装着又は取り外しの際の操作用部材となるものであることを特徴とする陰唇間パッド個別包装用包装容器。
【請求項２】
前記包装容器は、切り離された後のそれぞれ切片となる部分においてそれぞれ指を挿入する指挿入部が設けられており、
前記包装容器が前記分離部で各切片に切り離された状態では、それぞれの切片の指挿入部に指が挿入されて前記陰唇間パッドの装着又は取り外しの際の操作用部材となることを特徴とする請求の範囲第１項記載の陰唇間パッド個別包装用包装容器。
【請求項３】
前記指挿入部は、当該包装容器に２箇所以上の接合部分と、当該接合部分に挟まれた１箇所以上の非接合部分と、をもって、指の挿入用口が形成されるように取り付けられた包装容器用ミニシート片により形成されており、
前記包装容器用ミニシート片は、前記包装容器における前記分離部をまたいだ状態で取り付けられているか、あるいは、前記分離部の両側にそれぞれ取り付けられていることを特徴とする請求の範囲第２項記載の陰唇間パッド個別包装用包装容器。
【請求項４】
前記包装容器用ミニシート片は、前記包装容器の外面側及び／又は内面側に取り付けられていることを特徴とする請求の範囲第３項記載の陰唇間パッド個別包装用包装容器。
【請求項５】
前記陰唇間パッド個別包装用包装容器は、指挿入用口を有する陰唇間パッドを包装する陰唇間パッド個別包装用包装容器であり、
当該陰唇間パッド個別包装用包装容器には、前記分離部の他に内包される陰唇間パッドの指挿入用口を当該陰唇間パッド個別包装用包装容器開封当初に自然に露出させることができるプレ開封口が設けられていることを特徴とする請求の範囲第２項から第４項いずれか記載の陰唇間パッド個別包装用包装容器。
【請求項６】
前記陰唇間パッド個別包装用包装容器は、一連の包装用シートがその一部において重畳される重畳部が形成されるように巻かれたもの、あるいは、一連の包装用シートがその両側部が重なり合って重畳部が形成されるように折られたもの、から成り、
前記プレ開封口は、前記重畳部により形成されていることを特徴とする請求の範囲第５項記載の陰唇間パッド個別包装用包装容器。
【請求項７】
前記プレ開封口は、その両端が前記分離部に接続されている破断線と、当該破断線に沿って前記陰唇間パッド個別包装用包装容器の一部がちぎり取られることにより形成されるちぎり取り部と、から成り、
前記破断線に沿って前記陰唇間パッド個別包装用包装容器の一部がちぎり取られることにより開封がなされるものであることを特徴とする請求の範囲第５項記載の陰唇間パッド個別包装用包装容器。
【請求項８】
前記分離部と前記プレ開封口とは、対向するように位置付けられていることを特徴とする請求の範囲第５項から第７項いずれか記載の陰唇間パッド個別包装用包装容器。
【請求項９】
前記陰唇間パッド個別包装用包装容器は、指挿入用口を有する陰唇間パッドを包装する陰唇間パッド個別包装用包装容器であり、
当該包装容器は、内包される陰唇間パッドの指挿入用口を当該包装容器開封当初に自然に露出させることができるプレ開封縁と、前記分離部となる分離縁と、を備え、
前記包装容器は豆莢状の形状をなし、その一方の縁に沿って前記プレ開封縁が設けられるとともに、このプレ開封縁に連続した他方の縁に沿って前記分離縁が設けられており、当該分離縁に沿って当該包装容器が切り離された後のそれぞれ切片になる左右各側面には指の挿入が可能な指サック部が形成されており、
前記包装容器が各切片に切り離された状態では、それぞれの切片における前記指サック部に指が挿入されて前記陰唇間パッド装着又は取り外しの際の操作用部材になることを特徴とする請求の範囲第１項記載の陰唇間パッド個別包装用包装容器。
【請求項１０】
前記プレ開封縁は、その両端が前記分離部に接続されている破断線と、当該破断線に沿って前記陰唇間パッド個別包装用包装容器の一部がちぎり取られることにより形成されるちぎり取り部と、から成り、
前記プレ開封縁は、前記破断線に沿って前記陰唇間パッド個別包装用包装容器の一部がちぎり取られることにより開封がなされるものであり、
前記破断線の始点は、前記陰唇間パッドが内包されたときに、当該陰唇間パッドの指挿入用口の付近に位置するような場所に設けられていることを特徴とする請求の範囲第９項記載の陰唇間パッド個別包装用包装容器。
【請求項１１】
前記包装容器は、両端が閉じられた縦長平筒状の形態を成すものであり、
前記包装容器が前記分離部で各切片に切り離された状態では、包装した陰唇間パッドが露出されるとともに、切り離されたそれぞれの切片の切り離し部が指の挿入が可能な開口となり、当該開口から指が挿入されて前記陰唇間パッド装着又は取り外しの際の操作用部材となることを特徴とする請求の範囲第１項記載の陰唇間パッド個別包装用包装容器。
【請求項１２】
前記切り離し部は、その始点が一方端縁から開始され、その末尾が対向する他方端縁には届かない長さに設定されていることを特徴とする請求の範囲第１１項記載の陰唇間パッド個別包装用包装容器。
【請求項１３】
陰唇間パッドを直接包装するための内包容器と、この内包装容器に陰唇間パッドを内包した内包装体を包装するための外包装容器と、から成る陰唇間パッド個別包装用包装容器であって、前記内包装容器は、両端が閉じられた縦長平筒状の形態を成すものであり、
前記内包装容器には、当該包装容器を２個の小切片に切り離す分離部が設けられており、
前記内包装容器が前記分離部で各小切片に切り離された状態では、それぞれの小切片の切り離し部が指の挿入が可能な開口となり、当該開口から指が挿入されて前記陰唇間パッド装着又は取り外しの際の操作用部材となることを特徴とする陰唇間パッド個別包装用包装容器。
【請求項１４】
個人差に応じて指挿入位置に相違がある陰唇間パッドを個別包装するための包装容器であって、
前記個別包装容器を開封するためのプレ開封部を備え、このプレ開封部は、前記個別包装された陰唇間パッドの当該個人差に基づく指挿入位置に対応して複数個設けられており、かつ、前記包装容器には、前記指挿入位置の種類を案内する開封位置案内手段が設けられていることを特徴とする陰唇間パッド個別包装用包装容器。
【発明の詳細な説明】
【０００１】
発明の背景
技術分野
本発明は、陰唇間パッドの陰唇間への確実かつ衛生的な装着及び取り外しを容易にする構造の陰唇間パッド個別包装用包装容器、並びに陰唇間パッド個別包装体に関する。
【０００２】
関連技術
従来より、女性用生理用品としては、生理用ナプキン、タンポンが一般的に用いられている。ここで、生理用ナプキンについては、膣口付近への密着性の乏しさゆえに生じる隙間からの経血のモレを防ぐべく、多大な努力が払われている。また、タンポンにおいても、その物品の属性に起因して、着用時の異物感や不快感、膣内への装着困難性を生じることから、これらを除去するために多大な努力がなされている。
【０００３】
このような状況下、生理用ナプキンやタンポンの中間に位置する生理用品として、近年、陰唇間パッドなる生理用品が注目されるようになってきている。
【０００４】
この陰唇間パッドは、女性の陰唇間に挟み込んで装着するものであり、生理用ナプキンよりも身体との密着性が高いために経血のモレが生じにくく、また、膣内に挿入するタンポンに比べて着用時の心理抵抗も低いという特徴を有している。
【０００５】
ここで、かかる陰唇間パッドについては、それを取り扱う物その他の周辺部材についての開発や整備が十分ではない。
【０００６】
本発明は、以上のような課題に鑑みてなされたものであり、その目的は、陰唇間パッドの好適な操作用部材として、陰唇間パッドを包装するのに好適な包装容器を提供することにある。
【０００７】
また、他の目的は、指挿入用口を有する陰唇間パッドを包装容器開封の際にスムーズに指先に保持できる包装容器を提供することにある。
【０００８】
発明の開示
上記のような課題を解決するために、本発明においては、陰唇間パッドの包装容器を陰唇間パッドの装着の際に指サックとしても機能することができるようにするとともに、包装容器開封動作と指サック装着動作とを同時に行なえるようにしたことを特徴とする。
【０００９】
また、指先に固定をするための指挿入用口を備える陰唇間パッドに対して、包装容器開封動作が、そのまま指挿入用口への指挿入をスムーズに行なわしめる動作となるような包装容器としたことをも特徴とする。
【００１０】
より具体的には、本発明は、以下のようなものを提供する。
【００１１】
（１）  陰唇間パッドを個別包装するための包装容器であって、当該包装容器は当該包装容器を２個の切片に切り離す分離部を備えるものであり、当該切り離された後のそれぞれの切片が前記陰唇間パッドの装着又は取り外しの際の操作用部材となるものであることを特徴とする陰唇間パッド個別包装用包装容器。
【００１２】
本発明に係る陰唇間パッド個別包装用包装容器（以下、単に包装容器と称す）によれば、当該包装容器を適切な大きさ、形状に分離する分離部を設けるだけで、陰唇間パッドの包装容器を多機能化している。即ち、包装容器が陰唇間パッドの陰唇への装着及び陰唇からの取り外しを補助する部材として好適なものとなるように、当該包装容器に分離部が設けられているのである。例えば、分離部によって分離される包装容器の分離の割合等が、このような分離部の効果を発揮するのに好適なものとなるように決定される。このため、単に使用する陰唇間パッドのみを単独で衛生的かつ簡易に持ち運べるという個別包装容器本来の機能のみならず、陰唇間パッドの装着及び取り外しにも利用できるという機能をも併せ持つこととなり、別途指サックを指に装着する等の手間をかけることなく、衛生的に陰唇間パッドの装着及び取り外しを行なうことを可能としているのである。
【００１３】
（２）  前記包装容器は、切り離された後のそれぞれ切片となる部分においてそれぞれ指を挿入する指挿入部が設けられており、前記包装容器が前記分離部で各切片に切り離された状態では、それぞれの切片の指挿入部に指が挿入されて前記陰唇間パッドの装着又は取り外しの際の操作用部材となることを特徴とする（１）記載の陰唇間パッド個別包装用包装容器。
【００１４】
本発明に係る陰唇間パッド個別包装用包装容器（以下、単に包装容器と称す。）によれば、包装容器自体をそこで２分割することになる分離部と、この分離部によって分割されたそれぞれの部分において、指挿入が可能な指挿入部と、が設けられている。このため、着用者は、まず第一に、かかる指挿入部に２本の指（例えば、ひとさし指となか指）をそれぞれ挿入し、次にこの２本の指を左右に開くことにより、容易に当該包装容器を２個の切片に分離することができるとともに、この分離された状態では、結果的に２本の指のそれぞれの指先に、分離された包装容器の切片が装着されていることになる。そして、この状態を維持することにより、分割・分離された包装容器の切片を利用して陰唇間パッドの装着及び取り外し作業を行なうことが可能となる。
【００１５】
ここで、陰唇の形態には個人差があるため、陰唇間パッドを装着するにあたり、装着手順が異なる場合がある。例えば、離間型陰唇形態を有する着用者の場合は、姿勢を屈めた状態にすることにより陰唇間パッドを直接陰唇内に装着することができる。一方、結合型陰唇形態を有する着用者の場合は、姿勢を屈めるだけでは陰唇内面が露出しにくい場合があり、かかる場合には、陰唇間パッドを保持していないもう一方の手の指を利用して陰唇を強制的に開いた状態に保ちながら、陰唇間パッドを装着しなければならないこととなる。
【００１６】
このように、陰唇を開くという作業を行なう場合には、陰唇に着用者の指が直接接することとなる。このため、指の汚れが陰唇に付着することがあり、衛生的に問題である。また、粘膜刺激が生じるおそれもある。その一方で、経血が指に付着しやすいことから、陰唇間パッドを装着する度に指に付いた経血を洗い落とさなければならないという、不快かつ面倒な作業を着用者に強いることとなってしまう。
【００１７】
この点、実開昭６１−２３２８４５号公報において、膣内にタンポンを挿入する際などに使用できるものとして、台紙上に剥離可能に接着された指サックが開示されている。かかる指サックを指先に嵌めて陰唇間パッドを装着することにより、着用者の指が直接陰唇に接触することが防止されるため、陰唇部の清潔性が保たれることとなる。特に、当該指サックは、直接指に触れることなく指先に嵌めることができるように包装されているため、指の汚れが陰唇に付着する危険性が著しく低減されるという効果も併せ持つ。
【００１８】
また、実開昭６２−９４５０号公報においては、指サックに握り部を設けることにより指サックから指が抜けることを防止したものが開示されている。かかる指サックを利用すれば、陰唇間パッド装着時に指先に嵌めた指サックが着用者の指から外れてしまうことが防止されるため、より一層陰唇と指との非接触を担保することができるようにも考えられる。
【００１９】
しかしながら、陰唇間パッドとは目視困難な陰唇間に装着するものであるため、装着は簡易なものとは言えない。このため、上述の従来例のように、陰唇間パッド装着に際して別途指サックを着用するということは、操作手順を複雑化させるものであることから、装着作業を一層難しいものとしてしまうおそれがある。
【００２０】
そして、装着の際に多くの作業を行なうということは、装着時間の長期化の原因ともなり、かかる場合には、経血が陰唇内から落下して下着や便器、又は便器周辺などに付着してしまい、それらの処置のため着用者が不快な思いをすることもある。
【００２１】
この点、本発明によれば、切り裂いた包装容器の切片を利用して装着作業の補助を行なうことができ、しかも、かかる切片を利用するにあたっては、包装容器を切り離す際に指先に既に切片が保持されているため、わざわざこれを指先に取り付けるという作業工程が不要である。更に、包装容器を分離するにあたっては、指挿入部に利き手ではないほうの手の指を２本挿入した後、これらの指を左右に開くだけで容易に包装容器を切り裂くことができるため、装着作業の迅速化を図ることができる。
【００２２】
また、使用済みの陰唇間パッドを陰唇から取り外すに際しても、経血が指に付着したり陰唇に指が接触したりすることを防止するために、新たに使用する陰唇間パッドの包装容器の切片を利用して、取り外し作業を行なうことができる。
【００２３】
なお、本明細書において「分離部」とは、包装容器が分離される場所として何らかの形で特定されているものをいい、その構造としては、切り裂き部と非切り裂き部とが交互に配置されているミシン目のようなものや、分離部の開始部分に切欠部分を設けて包装容器を切り裂くきっかけとするようなものが挙げられる。
【００２４】
分離部をミシン目により構成した場合には、切り裂き部を長さ０．５〜５ｍｍ、幅を最大３ｍｍの範囲とし、非切り裂き部を長さ０．５〜３ｍｍとするのが好ましい。これにより、着用者の切り裂き方向が分離部から逸れないように誘導することができるとともに、ゴミなどが分離部から包装容器内部へと進入してくることを防止できる。なお、分離部はその切り裂きを容易なものとするために、包装容器の厚み方向を貫通した状態とするのが望ましい。
【００２５】
ミシン目で構成された分離部の開始位置は、少なくとも指挿入向きに存する包装容器の一方端縁から開始されていれば、他方の端縁まで連結していても、前記一方端縁から中間付近までしか設けられていなくても構わない。
【００２６】
ミシン目の破断強度は、引張条件を２５ｍｍ幅、１００ｍｍ／分として、当該ミシン目を中央に位置付けてミシン目と直交する方向に引っ張ったときの値が、０．２〜３．０Ｎ／２５ｍｍであり、より好適には０．３〜１．５Ｎ／２５ｍｍとするのがよい。
【００２７】
（３）  前記指挿入部は、当該包装容器に２箇所以上の接合部分と、当該接合部分に挟まれた１箇所以上の非接合部分と、をもって、指の挿入用口が形成されるように取り付けられた包装容器用ミニシート片により形成されており、前記包装容器用ミニシート片は、前記包装容器における前記分離部をまたいだ状態で取り付けられているか、あるいは、前記分離部の両側にそれぞれ取り付けられていることを特徴とする（２）記載の陰唇間パッド個別包装用包装容器。
【００２８】
本発明に係る陰唇間パッド個別包装用包装容器（以下、単に包装容器と称す。）によれば、包装容器用ミニシート片を、指挿入用口になる部分とそれに続いて指挿入用空間となる部分とを包装容器の面に対して非接合状態にして包装容器に取り付けることにより、指挿入部が形成されている。このため、着用者は指挿入用口である開口から指を挿入して包装容器を指先に固定させることができる（第７図参照）。
【００２９】
本発明において、包装容器用ミニシート片を１本の帯状のものとした場合には、分離部をまたいだ状態でこれを包装容器に取り付けることとなる（第５図参照）。これに伴って、分離部は包装容器と包装容器用ミニシート片との両方を厚み方向に貫通した状態で設けられることとなるが、この場合においては、区画された包装容器用ミニシート片が破損しないよう留意する必要がある。
【００３０】
また、本発明においては、包装容器用ミニシート片は分離部を境として左右に複数設けることも可能である（第６図参照）。これにより、分離部が包装容器用ミニシート片上に設けられることがなくなる。即ち、分離部上に包装容器用ミニシート片や接着部が存在しないということになり、分離部を裂いて包装容器を分割する際の分離部全体の破断強度をほぼ一定のものとすることができる。このため、分離部上をまたいで一本の帯状の包装容器用ミニシート片を取り付ける場合と比較して、包装容器の安定した分離が可能となる。
【００３１】
包装容器用のミニシート片の包装容器に対する接合は、接着剤で接合するほか、ヒートシール、超音波シール、粘着テープなどを用いて行なうこともできる。
【００３２】
また、包装容器用ミニシート片に対しては、包装容器用ミニシート片の識別を着用者が容易に行なうことができるようにするために、着色や模様等の印刷といった方法を用いて、包装容器とは異なる色調や模様、色度を有するように調整することもできる。
【００３３】
（４）  前記包装容器用ミニシート片は、前記包装容器の外面側及び／又は内面側に取り付けられていることを特徴とする（３）記載の陰唇間パッド個別包装用包装容器。
【００３４】
本発明に係る陰唇間パッド個別包装用包装容器（以下、単に包装容器と称す。）によれば、指挿入部を形成する包装容器用ミニシート片が、包装容器の外面側又は内面側、あるいは外面側及び内面側の双方に設けられている。
【００３５】
ここで、本発明においては、包装容器の内側は陰唇と接する面となる。このことから、ゴミやチリが陰唇に付着することを低減して衛生的な陰唇間パッドの装着又は取り外しを可能とするために、包装容器用ミニシート片は包装容器の内側に設けるよりも外側に設けるほうが特に好ましい。
【００３６】
（５）  前記陰唇間パッド個別包装用包装容器は、指挿入用口を有する陰唇間パッドを包装する陰唇間パッド個別包装用包装容器であり、当該陰唇間パッド個別包装用包装容器には、前記分離部の他に、内包される陰唇間パッドの指挿入用口を当該陰唇間パッド個別包装用包装容器開封当初に自然に露出させることができるプレ開封口が設けられていることを特徴とする（２）から（４）いずれか記載の陰唇間パッド個別包装用包装容器。
【００３７】
本発明に係る陰唇間パッド個別包装用包装容器（以下、単に包装容器と称す。）によれば、当該包装容器を切り離すための分離部とは別に、「プレ開封口」が設けられている。かかるプレ開封口を開封することにより、内包される陰唇間パッドが具備する指挿入用口が露出するため、着用者がこれを目視できる状態となる。このため、着用者は包装容器を開封した後、即座に当該指挿入用口に指を挿入することが可能となるのである。
【００３８】
なお、本発明において「プレ開封口」とは、開封されることにより、そこから陰唇間パッドの指挿入用口へ指を挿入することができる開封口を形成するものをいう。この「プレ開封口」の大きさは、本発明においては、開封することによりそこから陰唇間パッドの指挿入用口が視認でき、かつ、指をその指挿入用口へ挿入できる程度の大きさであれば十分であるが、陰唇間パッドを取り出すことができる大きさとして、ここから陰唇間パッドを取り出せるようにしてもよい。
【００３９】
（６）  前記陰唇間パッド個別包装用包装容器は、一連の包装用シートがその一部において重畳される重畳部が形成されるように巻かれたもの、あるいは、一連の包装用シートがその両側部が重なり合って重畳部が形成されるように折られたもの、から成り、前記プレ開封口は、前記重畳部により形成されていることを特徴とする（５）記載の陰唇間パッド個別包装用包装容器。
【００４０】
本発明に係る陰唇間パッド個別包装用包装容器（以下、単に包装容器と称す。）は、一枚の包装用シートを折り畳むことにより形成されている。そして、包装容器を開封するためのプレ開封口は、折り畳まれた包装用シートの両側部の重畳部から成る。このため、着用者は、包装用シートの重畳部を開くようにして容易に包装容器を開封することができる。
【００４１】
包装用シートの折り畳み方としては、代表的なものとして、陰唇間パッドを包装用シート略中央域に配置して包装用シートの両側部を内側に折り畳む三つ折り状のもの（第１図参照）と、陰唇間パッドを挟んで半分に折り畳む二つ折り状のもの（第９図参照）とが挙げられる。これらの場合において、折り畳んだ包装用シートの側部が重ねられた重畳部がプレ開封口となり、熱シール等で再剥離可能に接着される。
【００４２】
なお、プレ開封口の開封を容易なものとするために、三つ折り状の場合には包装用シートの重畳部にドライエッジを有する止着テープを取り付けたり、二つ折り状の場合には重なっている重畳部にタブを取り付けたりすることができる。このようにすることにより、着用者はかかる止着テープやタブを摘まんでプレ開封口を容易に開封できるため、陰唇間パッド取り付け作業の一層の迅速化を図ることができる。
【００４３】
（７）  前記プレ開封口は、その両端が前記分離部に接続されている破断線と、当該破断線に沿って前記陰唇間パッド個別包装用包装容器の一部がちぎり取られることにより形成されるちぎり取り部と、から成り、前記破断線に沿って前記陰唇間パッド個別包装用包装容器の一部がちぎり取られることにより開封がなされるものであることを特徴とする（５）記載の陰唇間パッド個別包装用包装容器。
【００４４】
本発明に係る陰唇間パッド個別包装用包装容器（以下、単に包装容器と称す。）によれば、開封口を形成するためのプレ開封口が、破断線に沿って包装容器の一部をちぎり取り、このちぎり取った部分を下方に引っ張ることにより開封される。
【００４５】
「破断線」の構成は、包装用シートの重畳部において包装容器を密閉するために接合されている部分よりも内側に形成され、その構成は（２）で述べた分離部と同様である。
【００４６】
なお、プレ開封部を破断線で形成する場合には、包装容器は包装用シートを二つ折り状にして形成するのが好ましい。この場合には、折り曲げ部を除く３辺を熱シール等で接合することとなる。
【００４７】
（８）  前記分離部と前記プレ開封口とは、対向するように位置付けられていることを特徴とする（５）から（７）いずれか記載の陰唇間パッド個別包装用包装容器。
【００４８】
本発明に係る陰唇間パッド個別包装用包装容器（以下、単に包装容器と称す。）によれば、プレ開封口と分離部とが対向する位置に設けられている。ここで、分離部近傍には指挿入用口を有する指挿入部が設けられていることから、着用者はプレ開封口を開封してそこから利き手の指を陰唇間パッドの指挿入用口に挿入する一方、包装容器の指挿入用口に利き手とは逆の手の指を挿入することが可能となる。この結果、包装容器から陰唇間パッドを取り出す作業を両手を使って行なうことができるため、かかる取り出し作業が効率よくかつスムーズなものとなる。
【００４９】
（９）  前記陰唇間パッド個別包装用包装容器は、指挿入用口を有する陰唇間パッドを包装する陰唇間パッド個別包装用包装容器であり、当該包装容器は、内包される陰唇間パッドの指挿入用口を当該包装容器開封当初に自然に露出させることができるプレ開封縁と、前記分離部となる分離縁と、を備え、前記包装容器は豆莢状の形状をなし、その一方の縁に沿って前記プレ開封縁が設けられるとともに、このプレ開封縁に連続した他方の縁に沿って前記分離縁が設けられて当該包装容器が切り離された後のそれぞれ切片になる左右各側面には指の挿入が可能な指サック部が形成されており、前記包装容器が各切片に切り離された状態では、それぞれの切片における前記指サック部に指が挿入されていることにより、前記陰唇間パッド装着又は取り外しの際の操作用部材になることを特徴とする（１）記載の陰唇間パッド個別包装用包装容器。
【００５０】
本発明に係る陰唇間パッド個別包装用包装容器（以下、単に包装容器と称す。）によれば、その形状は、陰唇間パッドをその長手方向の略中央域を軸として折り畳んで内包した場合において、フィットしやすいものとなっている。このため、包装容器内の不要な隙間を省くことが可能となり、包装容器のコンパクト化を図ることができる。
【００５１】
また、本発明に係る包装容器の側部においては、指を挿入するための指サック部が２つ取り付けられている。このため、着用者は２本の指（例えばひとさし指となか指）をそれぞれの指サック部に１本ずつ挿入し、それから、この２本の指を左右に開くことにより、分離部に従って容易に包装容器を２つの切片に切り離すことができる。この結果、切り離された切片がそれぞれの指先にしっかりと保持されるため、このままの状態で陰唇間パッドの装着又は取り外し操作を行なうことできる。これにより、陰唇を開く等の作業を行なった場合でも、指先に陰唇が接触することが防止される。
【００５２】
（１０）  前記プレ開封縁は、その両端が前記分離部に接続されている破断線と、当該破断線に沿って前記陰唇間パッド個別包装用包装容器の一部がちぎり取られることにより形成されるちぎり取り部と、から成り、前記プレ開封縁は、前記破断線に沿って前記陰唇間パッド個別包装用包装容器の一部がちぎり取られることにより開封がなされるものであり、前記破断線の始点は、前記陰唇間パッドが内包されたときに、当該陰唇間パッドの指挿入用口の付近に位置するような場所に設けられていることを特徴とする（９）記載の陰唇間パッド個別包装用包装容器。
【００５３】
本発明に係る陰唇間パッド個別包装用包装容器（以下、単に包装容器と称す。）によれば、プレ開封縁に破断線が形成されている。このため、着用者は、この破断線に沿って包装容器の一部をちぎり取っていくことにより、包装容器の一方縁部であるプレ開封縁を開封して内包されている陰唇間パッドの指挿入用口を露出させ、かかる指挿入用口に指を挿入することができる。
【００５４】
（１１）  前記包装容器は、両端が閉じられた縦長平筒状の形態を成すものであり、前記包装容器が前記分離部で各切片に切り離された状態では、包装した陰唇間パッドが露出されるとともに、切り離されたそれぞれの切片の切り離し部が指の挿入が可能な開口となり、当該開口から指が挿入されていることにより、前記陰唇間パッド装着又は取り外しの際の操作用部材となることを特徴とする（１）記載の陰唇間パッド個別包装用包装容器。
【００５５】
本発明に係る陰唇間パッド個別包装用包装容器（以下、単に包装容器と称す。）によれば、２つに分離された切片そのものが陰唇間パッド操作用部材としての指サックとなる。このため、上述の（２）などのように別途包装容器用ミニシート片を取り付ける等の製造工程が不要となり、製造工程の簡素化を図ることができる。
【００５６】
また、閉じられた両端縁の接合部の内側から分離部までの長さ寸法は、指一本あたりの挿入寸法となることから、かかる寸法が、陰唇間パッド装着又は取り外し作業の前中後を通して、切り離し部である開口より挿入した指から各切片が安易に抜け落ちたりしない寸法とする必要がある。また、切り離す前の状態において、一方端縁の接合部の内側から他方端縁の接合部の内側までの長さ寸法が、陰唇間パッドを封入可能な寸法である必要がある。このことから、少なくとも４０ｍｍの長さ寸法とするのが好ましく、より好ましくは、あまり多くのたるみ感が生じないように６０〜９０ｍｍの範囲で設けられるのが良い。なお、包装容器の両端縁における接合部は、包装容器の末端から分離部に向かう長さが２〜５ｍｍ程度の範囲内で設けられるのが一般である。
【００５７】
包装容器の幅寸法に関しても、内包する陰唇間パッドの包装容器に対する固定性と指の挿入と挿入状態の保持性を考慮して２０ｍｍ以上とするのが好ましく、より好ましくは２５〜４０ｍｍの範囲で設ける。
【００５８】
分離部が破断線で形成されている場合において、破断線における切れ目の感覚は任意の寸法で設けられるが、破断線に沿って包装容器の破りが誘導されること、包装材の破損が生じないこと、保管性があること等を考慮し、破断線の引き裂き強度が少なくとも０．１Ｎ／２５ｍｍ以上であり、好適には０．２〜３．０Ｎ／２５ｍｍの範囲が良い。なお、数値は、テンシロン引張試験機により各端縁をそれぞれ上下のチャックにはさんだ後、破断線の先端一部を鋏でカットし、速度１００ｍｍ／ｍｉｎで測定した時の最大荷重を読み取ることとする。
【００５９】
（１２）  前記切り離し部は、その始点が一方端縁から開始され、その末尾が対向する他方端縁には届かない長さに設定されていることを特徴とする（１１）記載の陰唇間パッド個別包装用包装容器。
【００６０】
本発明に係る陰唇間パッド個別包装用包装容器（以下、単に包装容器と称す。）によれば、分離部は当該包装容器の一方端縁から開始され、もう片側の端縁までは延長されず、その近傍で終了するようにして設けられている。具体的には、例えば、縦長形状の包装容器において、長手方向の一方側部となる端縁から分離部が開始され、対向する他方側部にまで届かないようにして分離部が終了されている（第１９図参照）。このため、包装容器は装着又は取り外しを行なうまで完全に２つに分離されることがなく、分離部の存在しない部分において連結した状態のまま維持される。この結果、切り離した切片を指先に装着するにあたり、２本の指を同時にそれぞれの切片の中に入れることができ、また、一方の切片を紛失してしまったりすることが防止されるため、操作性がより簡素化され、かつ速やかなものとなる。
【００６１】
また、指挿入用口が設けられている陰唇間パッドが内包されている場合には、分離部が開始される端縁側にかかる指挿入用口が向くように内包させることにより、着用者が包装容器の開封後に即座に指挿入用口を目視できることとなる。なお、分離部を設けない範囲は、一方端縁から２〜１０ｍｍ程度とするのが好ましい。
【００６２】
（１３）  陰唇間パッドを直接包装するための内包容器と、この内包装容器に陰唇間パッドを内包した内包装体を包装するための外包装容器と、から成る陰唇間パッド個別包装用包装容器であって、前記内包装容器は、両端が閉じられた縦長平筒状の形態を成すものであり、前記内包装容器には、当該包装容器を２個の小切片に切り離す分離部が設けられており、前記内包装容器が前記分離部で各小切片に切り離された状態では、それぞれの小切片の切り離し部が指の挿入が可能な開口となり、当該開口から指が挿入されて前記陰唇間パッド装着又は取り外しの際の操作用部材となることを特徴とする陰唇間パッド個別包装用包装容器。
【００６３】
本発明に係る陰唇間パッド個別包装用包装容器（以下、単に包装容器と称す。）によれば、包装容器が内包装容器と外包装容器との二重構造となっており、このうち、内包装体が陰唇間パッドの装着及び取り外し操作を補助する部材となっている。このため、内包装容器は陰唇間パッドの装着及び取り外しに使用し、外包装容器は使用済み陰唇間パッドを収納するのに使用する、というように、それぞれを使い分けることも可能となり、包装容器に付着した経血が指先に再付着するような事態が回避される。
【００６４】
（１４）  指挿入用口を有する陰唇間パッドを個別包装するための包装容器であって、前記包装容器は、陰唇に挟んで保持することが可能な大きさ及び形状の陰唇間パッドを当該陰唇間パッドの長手方向を軸として縦半分に折り畳んだ状態で収納できる大きさのポケット部を有する包装用シートからなることを特徴とする陰唇間パッド個別包装用包装容器。
【００６５】
本発明に係る陰唇間パッド個別包装用包装容器（以下、単に包装容器と称す。）によれば、包装容器に予めポケット部が形成されている。このため、未使用の陰唇間パッドをこのポケット部に収納しておくことにより、着用者が包装容器を開封して陰唇間パッドを取り出す際に陰唇間パッドがこぼれ落ちることが防止される。また、このポケット部の開口に陰唇間パッドの指挿入用口が向くようにすることにより、ポケット部に陰唇間パッドが収納されている状態をうまく利用して指挿入用口に指を挿入することができる（第３０図参照）。
【００６６】
また、陰唇に装着されている陰唇間パッドを取り外すにあたり、当該陰唇間パッドの指挿入用口に指を挿入してこれを指先に保持した場合には、使用済み陰唇間パッドを指先から取り外す際に、指先ごと陰唇間パッドをポケット部に入れ、反対の手でポケット部の外側（包装容器の外側）からポケット部内の陰唇間パッドを摘まんで固定し、そのままの状態で指を指挿入用口から引き抜くことができる（第３１図（Ｃ）参照）。これにより、指を経血などに付着させることなく引き抜くことができる。また、使用済み陰唇間パッドの廃棄も着用者自身の手を経血などに触れさせることなく、また、廃棄した陰唇間パッドも個別包装容器にしまい込めるため、見た目にも清潔である。
【００６７】
使用済み陰唇間パッドを包装容器内に再収納する際には、ポケット部の開口付近に陰唇間パッドに吸収された経血が触れて経血が付着してしまう場合がある。そのため、包装用シートにおけるポケット部以外の部分によってポケット部の開口を覆うようにすることにより、陰唇間パッドが完全に廃棄されるまで経血が着用者の手に付着することが防止され、衛生的な処理が確実なものとなる。
【００６８】
なお、包装容器においてポケット部を覆う部分には、止着テープ等の封止手段を設けて置くのが好ましい。これにより、包装容器内に確実に使用済み陰唇間パッドを封入しておくことが可能となり、陰唇間パッドがこぼれ出たり、経血がしみ出したりすることを防止して衛生的に廃棄することが可能となる。
【００６９】
（１５）  前記ポケット部は、一連の包装用シートの一部が折り曲がった箇所を備えているものであることを特徴とする（１４）記載の陰唇間パッド個別包装用包装容器。
【００７０】
本発明に係る陰唇間パッド個別包装用包装容器（以下、単に包装容器と称す。）によれば、一連の包装用シートの一部を折り曲げることによりポケット部を形成している。このため、ポケット部は包装容器の他の部分と連続した状態となり、ポケット部の包装容器に対する維持性が担保される。
【００７１】
このような包装容器は、例えば、縦長形状の一連の包装用シートを長手方向の一方端部を陰唇間パッドを配置する面（内面）に向かって折り曲げ、各側部において包装用シート同士が重なる両側縁もしくは片側側縁を接合することによりポケット部を形成する。このようにポケット部を形成するにあたっては、包装用シートの接する域のみに接合部を設けるようにするのが好ましい。これにより、使用後の陰唇間パッドを再収納するときに包装容器の接合部が確実に維持される。
【００７２】
このような構成とすることにより、ポケット部を形成する以外の部分において包装用シートをポケット部に向かって折り返すことができ、使用済み陰唇間パッドをポケット部に収納する際にポケット部の開口付近に付着した経血を覆うことが可能となり、経血が指に付着する危険性が減じられる。
【００７３】
（１６）  指挿入用口を形成する陰唇間パッド用ミニシート片を備えた陰唇間パッドの上下方向が存在する個別包装用の包装容器であって、前記包装容器を開封するためのプレ開封部に関連させられた上下方向を示す上下方向指示手段が設けられていることを特徴とする陰唇間パッド個別包装用包装容器。
【００７４】
本発明に係る陰唇間パッド個別包装用包装容器（以下単に包装容器と称す。）によれば、包装容器の上下が指示されている。このため、着用者は開封場所となるプレ開封部の位置を容易に把握することができる。
【００７５】
本発明において、「上下方向指示手段」としては、例えば、絵柄や文字等を包装容器に印刷して視認できるようなものや、型押し等により包装容器に凸凹を設けて指の感触で把握できるようなものが挙げられる。ここで、絵柄や文字を社標（ハウスマーク）や社名とすることにより、上記効果（製品の上下を示す）のほか、包装容器に宣伝や品質保証効果をも持たせることもできる。
【００７６】
本発明において「プレ開封部に関連させられた上下方向」というのは、上下方向のある包装容器を開封する場所に、一種の傾向のようなもの（上の部分が開封される場合が多いか、下の部分が開封される場合が多いか）がある場合に、上下方向を示唆することが、そのままプレ開封部の位置を指し示すかのようになっている状態のことを意味する。
【００７７】
（１７）  前記個別包装容器を開封するためのプレ開封部を備え、このプレ開封部は、前記個別包装された陰唇間パッドの当該個人差に基づく指挿入位置に対応して複数個設けられており、かつ、前記包装容器には、前記指挿入位置の種類を案内する開封位置案内手段が設けられていることを特徴とする陰唇間パッド個別包装用包装容器。
【００７８】
本発明に係る陰唇間パッド個別包装用包装容器（以下、単に包装容器と称す。）によれば、陰唇間パッドを指先に保持するための指挿入用口が複数設けられている場合において、これに対応するように包装容器にも複数のプレ開封部が存在するが、着用者がいずれのプレ開封部を開封すれば良いかが指示されている。このため、着用者は、包装容器を開封するまでもなく、包装容器の外観から、どのプレ開封部を開封すれば自己に適した指挿入用口に即座に指を挿入することができるかを容易に把握することができる。
【００７９】
本発明における「開封位置指示手段」としては、最適なプレ開封部を着用者が把握できるようなものであればよく、例えば、該当プレ開封部の周辺、あるいは全てのプレ開封部の周辺において、文字や絵柄等の印刷や着色、型押し等による凹凸を施したものなどが挙げられる。
【００８０】
（１８）  指挿入用口を形成する陰唇間パッド用ミニシート片を備えた陰唇間パッドを個別包装するための包装容器であって、前記包装容器を開封するためのプレ開封部は、当該プレ開封部の位置を誘導する破断線に沿って前記包装容器の一部がちぎり取られることにより開封されるものであり、前記プレ開封部が開封された状態では、まず最初に前記陰唇間パッドの前記指挿入用口が露出されるように当該陰唇間パッドが収納されるものであることを特徴とする陰唇間パッド個別包装用包装容器。
【００８１】
本発明に係る陰唇間パッド個別包装用包装容器（以下、単に包装容器と称す。）によれば、プレ開封部が破断線により形成されている。即ち、かかる破断線は包装容器を形成するために接合した部分よりも内側に設けられているものであり、このため、着用者は包装容器の接合部分を剥がすのではなく、当該破断線に沿って、包装容器の一部をちぎり取ることにより、かかるプレ開封部を開封して陰唇間パッドを取り出すことができる。
【００８２】
この破断線は、着用者にちぎり取り位置とちぎり取り方向とを示すようなものであればよく、その構造としては、切り裂き部と非切り裂き部とが交互に配置されているミシン目のようなものが挙げられる。このような構造の破断線は、切り裂き部を長さ０．５〜５ｍｍ、幅を最大３ｍｍの範囲とし、非切り裂き部を長さ０．５〜３ｍｍとするのが好ましい。これにより、着用者の切り裂き方向が破断線から逸れないように誘導することができるとともに、ゴミなどが破断線から進入してくることを防止できる。
【００８３】
なお、かかる破断線は、本発明においては、少なくとも陰唇間パッドが取り出せるだけの間口が形成される範囲で設けられるようにすればよい。
【００８４】
破断線の破断強度は、引張条件を２５ｍｍ幅、１００ｍｍ／分として、破断線を中央に配置して破断線と直交する方向に引っ張った時に、０．２〜３．０Ｎ／２５ｍｍとするのが好ましく、より好適には０．３〜１．５Ｎ／２５ｍｍとするのが好ましい。
【００８５】
破断線の開始位置は、着用者に破断線が視覚的に把握しやすいように、矢印をプリントしたり、破断線の開始部近傍を終了部とは異なるカット（例えば端部を丸くする等）を施すことができる。
【００８６】
また、包装容器を破断部の開始方向に向かって徐々に幅広く形成する一方で反対方向を幅狭く形成することにより、指挿入用口は幅広く形成された方向とは反対方向に位置するように包装容器用ミニシート片を取り付けることもできる。このようにすることにより、陰唇間パッドが内包されている包装容器を着用者が取り扱うに際し、包装容器の幅狭く形成された側を手で握るように着用者を仕向けることが可能となるため、包装容器の向きを変えること無く、包装体に設けられた指挿入用口に指を挿入することができることとなる。そして、陰唇間パッドに設けられた指挿入用口においても、包装容器の指挿入用口と同じ方向を向くように配置することにより、包装容器ばかりでなく、陰唇間パッドの向きをも変えること無く、スムーズに指を挿入することができることとなる。
【００８７】
また、プレ開封部開封操作の誤認を低減するために、破断線の外側に位置する包装容器の接合部は、その接合強度を高めておくのが望ましい。
【００８８】
（１９）  前記陰唇間パッド個別包装用包装容器は、内面側を繊維シート、外面側をフィルムシートとしたラミネート材料で構成されていることを特徴とする（１）から（１８）いずれか記載の陰唇間パッド個別包装用包装容器。
【００８９】
本発明に係る陰唇間パッド個別包装用包装容器（以下、単に包装容器と称す。）によれば、内面側を繊維シート、外面側をフィルムシートとしたラミネート材料で構成されている。このため、ワイピング性や液遮断性に優れた包装容器とすることができる。
【００９０】
「内面側」に配置する具体的な材料としては、包装容器から陰唇間パッドの拭き取りがスムーズに行なえることや親水性又は繊維密度、柔軟な風合い等を考慮すると、以下の物が挙げられる。例えば、１５〜５０ｇ／ｍ２のクレープティシュ、コットンとパルプの混合物であって少なくともコットンを１０％重量比で調整した１５〜７０ｇ／ｍ２の範囲で得られる湿式スパンレース不織布、少なくともレーヨン繊維を３０％重量比で調整した２０〜７０ｇ／ｍ２の範囲で得られるスパンレース不織布、２０〜５０ｇ／ｍ２の範囲から得られるポリプロピレンから構成されたメルトブローン不織布、スパンボンド・メルトブローン・スパンボンドがそれぞれ６〜１０ｇ／ｍ２・５〜２０ｇ／ｍ２・６〜１０ｇ／ｍ２重量で構成される複合不織布、等である。
【００９１】
「外面側」に配置する具体的な材料としては、耐水圧を考慮すると、１０〜３０ｇ／ｍ２の範囲から得られるポリエチレンフィルム、開孔率が１０〜３０％の範囲で、１５〜３０ｇ／ｍ２の範囲で調整された開孔プラスチックシートが挙げられる。
前記の内面側の材料と外面側の材料とは、ホットメルト接着剤、熱エンボス、超音波シール等の公知の技術によりラミネート加工される。
【００９２】
このようなラミネート加工は、風合いを考慮すると、ホットメルト接着剤であれば、塗布量を３〜１０ｇ／ｍ２の範囲とし、螺旋状、筋状の配列で５〜４０％の塗布面積内で貼り合わせて行なうのが好ましく、熱又は超音波シールであれば、ドット、線状、交差線状等の配列で５〜２０％のシール面積内で貼り合わせて行なうのが好ましい。
【００９３】
（２０）  生分解性素材及び／又は水溶性素材及び／又は水分散性素材で構成されていることを特徴とする（１）から（１９）いずれか記載の陰唇間パッド個別包装用包装容器。
【００９４】
本発明に係る陰唇間パッド個別包装用包装容器（以下、単に包装容器と称す。）によれば、構成材料が生分解性素材及び／又は水溶性素材及び／又は水分散性素材となっている。このため、着用者は、包装容器が水溶性素材又は水分散性素材である場合には、包装袋をトイレ内に流してしまうことができるため、着用者は包装容器の廃棄の煩わしさから開放されるとともに、トイレ内のゴミの低減をも図ることが可能となる。
【００９５】
このような包装容器の具体的な例としては、目付１５〜４０ｇ／ｍ２に調整されたティッシュと目付２０〜５０ｇ／ｍ２のポリビニルアルコールとをラミネートし、ポリビニルアルコール側に０．５〜１μｍの範囲でシリコーンが塗布された複合材料や、ポリ乳酸繊維を主体として目付１５〜４０ｇ／ｍ２に調整されたスパンボンド不織布等が挙げられる。
【００９６】
また、このような包装容器に内包される陰唇間パッドも、生分解／水溶性／水分散性であることが好ましい。このようにすることにより、陰唇間パッドを使用後にそのままトイレに流せるため、使用済みの陰唇間パッドの廃棄を簡便かつ清潔に行なうことができる。そして、包装容器共々トイレに流すことが可能となるため、トイレ内のゴミの低減をより一層図ることもできるという効果も生じる。
【００９７】
なお、本明細書において、「生分解性」とは、放線菌をはじめとする細菌、その他の微生物の存在下、自然界のプロセスに従って、嫌気性又は好気性条件下で物質が二酸化炭素又はメタン等のガス、水及びバイオマスに分解されることをいい、当該物質の生分解能（生分解速度、生分解度など）が、落ち葉等の自然に生じる材料、もしくは同一環境下で生分解性として一般に認識される合成ポリマーに匹敵することをいう。「水分散性」とは、水解性と同じ意味であって、使用時の限定された量の水分（経血）では影響はないものの、多量の水または水流中では、繊維同士が、少なくとも一般のトイレ配管を詰まらせることがない程度の小断片に容易に分散される性質のことをいう。「水溶性」とは、使用時の限定された量の水分（経血）では影響はないものの、多量の水又は水流中においては溶解する性質のことをいう。
【００９８】
（２１）  指幅の開口が確保されている指挿入用口及びそれに続く指挿入用空間を形成する陰唇間パッド用ミニシート片を備えた陰唇間パッドと、この陰唇間パッドを個別包装するための陰唇間パッド個別包装用包装容器と、から成る包装体であって、前記陰唇間パッドが、前記包装容器を開封するためのプレ開封部を開封したときに前記指挿入用口が開くように折り畳まれて収納されていることを特徴とする包装体。
【００９９】
本発明に係る包装体によれば、陰唇間パッドは、陰唇間パッド個別包装用包装容器（以下、単に包装容器と称す。）内に、陰唇間パッドに設けられた指挿入用口が開くように折り畳まれて収納されている。
【０１００】
この点、ナプキン等のシート状の生理用品においては、包装体のコンパクト化のために内容物が折り畳まれて内包されているのが一般的であるが、本発明においては、かかるコンパクト化に加え、陰唇間パッド個別包装用包装容器を開封したときに、折り畳まれていた陰唇間パッドを開くこととなり、これによりミニシート片と陰唇間パッドの裏面側シートとの間に隙間ができて指挿入用口が自然に形成されるという効果も発揮されるのである。
このような折り畳み方としては、例えば、前記陰唇間パッドがミニシート片を備える面を内側にして陰唇間パッドの長手方向の略中心線に沿って折り畳む方法などが挙げられる。
【０１０１】
（２２）  前記陰唇間パッド用ミニシート片が前記陰唇間パッドの長手方向の略中心線に沿って反身体側に向かって山折り状となるように、前記陰唇間パッドが内包されていることを特徴とする（２１）記載の包装体。
【０１０２】
本発明に係る包装体によれば、陰唇間パッド用ミニシート片が反身体側に向かってに山折り状となるように、陰唇間パッドが陰唇間パッド個別包装用包装容器に内包されている。このため、開封時において、指を容易に挿入できるような指挿入用口が容易に形成されることとなる。
なお、本発明において「反身体側に向かって山折り状となるように」とは、反身体側を凸として完全に折曲されている場合のほか、反身体側を凸として湾曲させられている場合も含む意味である。
【０１０３】
（２３）  指幅の開口が確保されている指挿入用口及びそれに続く指挿入用空間を形成する陰唇間パッド用ミニシート片を備えた陰唇間パッドと、この陰唇間パッドを個別包装するための陰唇間パッド個別包装用包装容器と、から成る包装体であって、前記陰唇間パッドが前記陰唇間パッド個別包装用包装容器に直交する方向で内包されていることを特徴とする包装体。
【０１０４】
本発明に係る包装体においては、包装容器との間で異方性を持たせて陰唇間パッドを包装することにより、開封方向と指先挿入方向とを着用者にとって同一方向とすることができ、着用者の指の挿入をより一層容易なものとすることができる。
この場合において、陰唇間パッドは、例えば、ミニシート片を外側にして長手方向の中央部分で約半分に折り畳んで内包させることもできる（第３９図の（Ａ）参照）。
【０１０５】
（２４）  指幅の開口が確保されている指挿入用口及びそれに続く指挿入用空間を形成する陰唇間パッド用ミニシート片を備えた陰唇間パッドと、この陰唇間パッドを個別包装するための陰唇間パッド個別包装用包装容器と、から成る包装体であって、内包される前記陰唇間パッドにおける前記指挿入用口が前記陰唇間パッド個別包装用包装容器の前記陰唇間パッド個別包装用包装容器を開封するためのプレ開封部近傍に位置されるように内包されている包装体。
【０１０６】
本発明に係る包装体によれば、前記包装容器のプレ開封部近傍に前記陰唇間パッド用ミニシート片が位置付けられるように陰唇間パッドが配置されている。この結果、プレ開封部近傍に陰唇間パッドの指挿入用口が位置付けられることとなり、着用者はプレ開封部を開封した後、迅速にかかる指挿入用口内に指を挿入して陰唇間パッドを指先に保持することができるため、陰唇間パッドの着用時間の一層の短縮化を図ることができる。
【０１０７】
（２５）  生理用ナプキン個別包装用の包装容器であって、当該包装容器には陰唇間パッドを収納するための陰唇間パッド収納用ポケット部が設けられていることを特徴とする生理用ナプキン個別包装用包装容器。
【０１０８】
本発明に係る生理用ナプキン個別包装用包装容器によれば、生理用ナプキンを収納するための空間の他に、陰唇間パッドを収納するための空間である陰唇間パッド収納用ポケット部が設けられている。このため、かかる陰唇間パッド収納用ポケット部に使用済み陰唇間パッドを収納して、包装容器ごと廃棄することができ、衛生的である。
【０１０９】
特に、陰唇間パッドが分解性素材、水溶性素材、水分散性素材で構成されている場合には、包装容器を構成する包装用シートやポケット部を構成する材料等をも分解性素材及び／又は水溶性素材及び／又は水分散性素材構成で構成することにより、包装容器とともに陰唇間パッドをトイレに廃棄することができるため、廃棄の簡便性が増すこととなる。
【０１１０】
また、生理用ナプキンと陰唇間パッドの双方を包装容器に入れておくことにより、着用者は１つの包装容器を持ち歩くだけで、両者を併用して使用することができるため、携帯性に富んだものとなる。
【０１１１】
発明を実施するための最良の形態
次に、本発明の実施形態について、図を参照しつつ説明する。
【０１１２】
［２つの切片に分離可能な陰唇間パッド個別包装用包装容器］
＜第１実施形態＞
まず、包装容器用ミニシート片を取り付けた陰唇間パッド個別包装用包装容器（以下、単に包装容器と称す。）の構造について説明をする。第１図は、包装容器１となる包装用シート１１を陰唇間パッド２を内包しながら折り畳んで包装体３を形成する過程を示す工程図であり、第２図は、第１図の（Ｄ）のＡ−Ａ視断面図であり、第３図は、包装容器１の開封手順を示す工程図であり、第４図は、人差し指を陰唇間パッド用ミニシート片である帯体２２に挿入した状態を示す図である。
【０１１３】
まず、第１図の（Ａ）に示されるように、包装用シート１１の上に、反身体側面２ａを表にして陰唇間パッド２を配置する。次に、同図の（Ｂ）に示されるように、包装用シート１１の一方側部１１ａを陰唇間パッド２の長手方向側縁部に沿って内側に折り畳み、更に、同図の（Ｃ）に示されるように、包装用シート１１の他方端部１１ｂをも内側に折り畳む。これにより、同図の（Ｄ）に示されるように、側部１１ａと側部１１ｂが重なり合った重畳部１１ｃが形成され、かかる重畳部１１ｃがプレ開封口となる。この重畳部１１ｃを止着テープ１４で再剥離可能に封止する。そして、包装用シートの上下縁部は再開封可能にヒートシール、超音波シール等の方法により仮止めすることにより、陰唇間パッド２が脱落しないように封入され、包装体３が形成される。
【０１１４】
包装体３の内部においては、第２図に示されるように、陰唇間パッド２に取り付けられた帯体２２が、包装用シート１１の側部１１ａと１１ｂとが重なって形成された重畳部１１ｃの真下に位置付けられている。このため、着用者は、重畳部１１ｃを開くことにより、即座に帯体２２を視認することができ、指挿入用口２３に指を挿入することができる。
【０１１５】
第３図の（Ａ）に示される包装体３を開封するためには、まず、同図の（Ｂ）に示されるように、止着テープ１４を摘まんでこれをＡ方向に引っ張る。これにより、同図の（Ｃ）に示されるように、包装用シート１１の側部１１ｂが外側に開かれる。続いて、同図の（Ｄ）に示されるように、包装用シート１１の他方の側部１１ａをも外側に開くことにより、陰唇間パッド２に取り付けられた帯体２２を露出させることができる。このため、着用者は、陰唇間パッド２を裏返すことなく容易に帯体２２を視認することができる。
【０１１６】
そして、第４図に示されるように、露出された帯体２２により形成された指挿入用口２３に、利き手（通常は右手）の人差し指若しくは中指を、指の腹が陰唇間パッド２の反身体側面２ａに接するようにして挿入し、陰唇間パッド２を指先に保持する。
【０１１７】
次に、包装容器に取り付けられた包装容器用ミニシート片、及びこれを利用して包装容器を分離する手順について説明する。第５図は、第３図の反対面を示すものであって、包装容器用ミニシート片である帯体１２と包装容器１を切り離す分離部となる破断線１５や切欠部１７を備えた包装容器１を示す図であり、第６図は、帯体１２の他の形態を示す図であり、第７図は、包装容器１を分離して陰唇間パッド２を取り出す過程を示す工程図である。
【０１１８】
第５図の（Ａ）に示される通り、包装容器１の中央において破断線１５が設けられている。そして、この破断線１５をまたいだ状態で包装容器用ミニシート片である帯体１２が取り付けられている。この帯体１２の接合は、第５図の（Ａ）のＢ−Ｂ視断面図である第５図の（Ｂ）に示されるように、帯体１２の左右両側部と破断線１５に沿った部分との合計３箇所に塗布された接着剤１６により行なわれている。このようにして取り付けられた帯体１２により、指挿入用口１３Ａ及び１３Ｂが形成され、着用者はこれらの指挿入用口１３Ａ及び１３Ｂに利き手ではない方の手（通常は左手）の２本の指を挿入して、包装容器１を指先に保持することができる。
【０１１９】
なお、本実施例においては、破断線１５により分離部が形成されているが、第５図の（Ｃ）に示すように、包装容器１の上側に切欠部１７を設け、この部分をきっかけとして包装容器１を分離するようにすることもできる。また、第５図の（Ｄ）に示すように、破断線１５と切欠部１７の双方を設けるようにしてもよい。
【０１２０】
なお、帯体１２は、第６図の（Ａ）に示されるように、破断線１５を挟んで左右対称に２本設けることも可能である。このようにすることにより、帯体１２が破断線１５上には存在しなくなるため、破断線１５を裂いて包装容器１５を分離する際の破断強度をほぼ一定とすることができる。このため、第６図の（Ａ）に示される包装容器１の方が第５図の（Ａ）に示される包装容器１よりも安定して分割することができるのである。
【０１２１】
なお、この場合には、第６図の（Ａ）のＣ−Ｃ視断面図である第６図の（Ｂ）に示されるように、接着剤１６は２本の帯体１２の各側縁にそれぞれ塗布されることとなるため、接着剤１６の塗布領域は合計４箇所必要となる。
【０１２２】
帯体１２は、上述の第６図の（Ａ）に示すように両者を同寸法とするほか、同図の（Ｃ）に示すように両者をそれぞれ異なる寸法とすることもできる。例えば、同図の（Ｄ）に示すように、縦方向の長さを変えることにより、指挿入用口１３Ａにはなか指を、指挿入用口１３Ｂにはひとさし指を挿入するように着用者を仕向けることも可能である。
【０１２３】
包装容器１を分割するにあたっては、第７図の（Ａ）に示されるように、まず、破断線１５を挟んで形成されている指挿入用口１３Ａ及び１３Ｂに、左手の人差し指と中指の２本の指を挿入する。次に、同図の（Ｂ）に示されるように、２本の指を左右に開く。この時の解除力により、包装容器１が破断線１５に従って左右に引き裂かれ、切片１Ａと１Ｂとに分離される。そして、着用者は、陰唇間パッド２が保持された右手を動かすことにより、包装容器１から陰唇間パッド２を取り出すことができる。
【０１２４】
この後、第８図で示されるように、包装容器１の切片１Ａ及び１Ｂが保持された状態の左手の指で陰唇を広げながら、右手の人差し指に保持された陰唇間パッド２を陰唇内に装着することができる。このため、装着操作中に指が陰唇や血液に触れる事態が生じないのである。
【０１２５】
本実施形態において、陰唇間パッド２の寸法は、陰唇内に難なく挟み込むことができるとともに、陰唇自体の挟持力で保持できる大きさであって、陰唇の塞鎖性をも考慮したものとなる。具体的には、長手方向の寸法は６０〜１５０ｍｍ、また、陰唇間パッドの短手方向の見かけ上の長さ寸法は、１０〜６０ｍｍの範囲とすることが好ましく、より好ましくは２０〜４０ｍｍの範囲とするのがよい。短手方向の長さ寸法が６０ｍｍより長い場合には、陰唇間に介在されることのない領域が着用者の大腿部などにこすれてしまい、これにより生じた摩擦が両陰唇による挟持力を上回り、陰唇間パッドが脱落するおそれがある。また、短手方向の長さ寸法が１０ｍｍより短い場合には、陰唇間に介在できる領域が少なくなるため陰唇内面との接触面積が減少し、陰唇間パッドの脱落の危険性が生じやすくなる。なお、上記の「見かけ」とは、長さ寸法が最短の２点間距離（第５８図のＶに該当）を意味する。これは、製造工程との関係で、凹凸形状を辿った２点間の道のり、すなわち、凹凸形状を展開したフラットな状態での２点間距離を実際の長さ（第５８図のＷに該当）として取り扱う場合があるため、入念に定義したものである。また、厚み寸法は、極度に着用感を阻害せず良好な快適感を考慮して、２〜１０ｍｍの範囲で設けられる。
【０１２６】
このような陰唇間パッド２の封入性と帯体１２の取り付け性とを考慮すると、包装容器１の寸法は、縦寸法は８０〜１７０ｍｍの範囲、横寸法は６０〜９０ｍｍの範囲とするのが好適である。
【０１２７】
また、帯体１２の横寸法は、このような包装容器１の幅からはみ出ないようにするとともに、２つの指挿入用口２３Ａ及び２３Ｂにおいて２本の指の挿入が可能な幅となるように少なくとも２５ｍｍの幅を有するようにする必要がある。具体的には、２５〜８０ｍｍ以下の範囲とするのが好ましい。
【０１２８】
また、帯体１２の縦寸法は、少なくとも３０ｍｍ以上であればよく、包装容器１からはみ出ない範囲であれば、包装容器１の端縁部まで延長しても構わない。
【０１２９】
＜第２実施形態＞
次に、包装容器用ミニシート片を取り付けた２つ折状の包装容器について説明する。第９図は、包装容器３１に陰唇間パッド２を内包して包装体３３を形成する過程を示す工程図であり、第１０図は、第９図の（Ｃ）のＤ−Ｄ視断面図であり、第１１図は、プレ開封口が破断線４５により形成されている包装容器４１を示す図であり、第１２図は、２枚の包装用シート５１Ａと５１Ｂとを貼り合わせることにより形成されている包装容器５１を示す図であり、第１３図は、包装容器３１を開封して陰唇間パッド２を取り出す一方で包装容器３１を２つの切片３１Ａ及び３１Ｂに分離する手順を示す工程図である。
【０１３０】
包装体３３を形成するにあたっては、第９図の（Ａ）に示されるように、まず、陰唇間パッド２を左右側縁が重なるようにして縦軸に沿って折り畳む。この場合において、陰唇間パッド用ミニシート片である帯体２２が取り付けられた反身体側面２ａを内側にして折り畳む。次に、同図の（Ｂ）に示されるように、折り畳んだ陰唇間パッド２を包装用シート３１の右側に配置し、それから包装用シート３０の縦軸を中心としてこれを半分に折り、陰唇間パッド２を被覆する。続いて、同図の（Ｃ）に示されるように、プレ開封口となる重畳部に接合部３１ａ、３１ｂ、３１ｃを設け、これらをそれぞれ接合することにより包装体３３とする。なお、この場合において、タブ３４は接合しないようにする。包装体３３の表面には包装容器用ミニシート片である帯体３２が位置することとなる。
【０１３１】
この包装体３３の内部においては、第１０図に示されるように、接合部３１ｂに対向する位置に帯体２２が位置付けられている。このため、接合部３１ｂを剥がして開封した着用者は、即座に帯体２２を視認することができる。
【０１３２】
この実施形態においては、包装容器３１のプレ開封口は再剥離可能な熱シールで接合された接合部３１ａ、３１ｂ、３１ｃで形成されているが、第１１図に示される包装容器４１のように、接合部４１ａ、４１ｂ、４１ｃより内側に設けられた破断線４５によりプレ開封口を形成することもできる。この破断線４５に沿って包装容器４１の端部を切り取っていくことにより、プレ開封口を開封して、開封口を形成することもできる。
【０１３３】
また、第１１図に示す形態では、１枚の包装用シートで陰唇間パッド２を被覆しているが、第１２図の（Ａ）に示される包装容器５１のように、包装用シートを５１Ａと５１Ｂの２枚とし、この間に陰唇間パッド２を挟むように配置してから、包装用シート５１Ａと５１Ｂを４つの接合部５１ａ、５１ｂ、５１ｃ、５１ｄにより接合して両者を貼り合わせるようにすることもできる。この場合において、破断線５５は、接合部５１ａ、５１ｂ、５１ｃの内側に設けられる。
【０１３４】
本実施形態の包装容器３１は、第１３図の（Ａ）に示されるように、２つのタブ３４を有している。このため、着用者は、同図の（Ｂ）に示されるように、このタブ３４を左右に引っ張ることにより接合部３１ｂから接合部３１ａ、３１ｃへと開封していき、陰唇間パッド２に取り付けられた帯体２２を露出させることができる。次に、同図の（Ｃ）に示されるように、帯体２２によって形成された指挿入用口２３の中に右手の人差し指を挿入する。そして、同図の（Ｄ）に示されるように、左手の人差し指と中指とを包装容器の帯体３２に挿入し、包装容器を左手に固定する。この状態で右手を右上に持ち上げるようにすることにより、陰唇間パッド２を包装容器３１から取り出すことができる。続いて、同図の（Ｅ）に示されるように、左手の人差し指と中指とを左右に開くことにより、包装容器３１を切片３１Ａと３１Ｂとに分離する。これにより、着用者は左手の指に保持された切片３１Ａ及び３１Ｂを利用して陰唇を開きながら、右手に固定された陰唇間パッド２を陰唇内の適切な位置に装着することができる。
【０１３５】
＜第３実施形態＞
次に、側部に指サック部を有する豆莢状の包装容器について説明する。第１４図は、豆莢状の形状をなす包装容器６１を開封して陰唇間パッド２を取り出す一方で、当該包装容器６１を２つの切片６１Ａ及び６１Ｂに分離する手順を示す工程図である。
【０１３６】
第１４図の（Ａ）に示されるように、包装容器６１にはプレ開封口を形成する破断線６４が設けられている。このため、同図の（Ｂ）に示されるように、着用者はかかる破断線６４に沿って包装容器６１の一部をちぎり取っていくことにより、同図の（Ｃ）に示されるように、包装容器６１を開封する。続いて、同図の（Ｄ）に示されるように、包装容器６１がその両側面に具備する２つの指サック部６２に左手の人差し指と中指とを１本づつ挿入する一方、陰唇間パッド２の指挿入用口２３に右手の人差し指を挿入する。この状態で、右手を動かすことにより、陰唇間パッド２を包装容器６１から取り出すことができる。更に、同図の（Ｅ）に示されるように、左手の人差し指と中指とを左右に開くようにすることにより、包装容器６１を分離縁６５に沿って、切片６１Ａと６１Ｂとに分離する。この切片６１Ａと６１Ｂとを利用して陰唇を開きながら、着用者は右手に固定された陰唇間パッド２を陰唇内の適切な位置に装着することができる。
【０１３７】
＜第４実施形態＞
次に、包装容器自体が指サックとなる包装容器について説明する。第１５図は、長手方向の略中央域に破断線７５が設けられた包装容器７１を示す図であり、第１６図は、第１５図のＥ−Ｅ視断面図であり、第１７図は、包装容器７１を開封して分離することにより形成された切片７１Ａ、７１Ｂを指先に装着する状態を示す工程図であり、第１８図は、陰唇間パッド２を折り畳んだ状態で内包している包装体７３の縦断面図であり、第１９図は、包装容器７１の一方側部７１ｃから開始された破断線７５が他方側部７１ｄまでは延長されていない包装体７３を示す図であり、第２０図は、第１９図の包装容器７１を破断線７５から切り離して指先に装着する状態を示す図である。
【０１３８】
第１５図に示す包装体７３は、帯体２２を備えた陰唇間パッド２（図示せず）を被覆するようにして、長方形状の包装用シートを長手方向の両端部を互いに重なり合わせて筒状とし、この包装用シートの重なり合う部分と包装容器７１の上下端縁である７１ａ及び７１ｂをそれぞれ接合して陰唇間パッド２を封入することにより構成されている。そして、長手方向の略中央域において、短手方向に包装容器７１を２つに分離できるように破断線７５が設けられている。
【０１３９】
包装用シートが重なり合う部分は、ホットメルト型接着剤、熱風シール等により接合され、上下両端縁はヒートシール、超音波シール又はヒートシールとホットメルト型接着剤との複合等により接合される。
【０１４０】
第１６図に示すように、包装体７３は、帯体２２を備えた陰唇間パッド２の横方向を包囲するように包装用シートで包むようにして形成されている。なお、包装用シートの重なり合う部分は、本実施形態においては帯体２２が取り付けられている反身体側に位置しているが、身体側に位置していてもよい。
【０１４１】
また、包装容器７１の前後両端縁は、鋭角を成さないように丸く縁取られているほうが好適である。この点、包装容器７１の前後両端縁が鋭角であると、陰唇を傷つける可能性があるが、上述のような形態とすることにより、包装容器７１を利用して陰唇を開く際に、陰唇に対する刺激を低減できる。
【０１４２】
第１７図の（Ａ）に示す包装体７３を構成する包装容器７１を開封するには、まず、同図の（Ｂ）に示すように、破断線７５に従って包装容器７１を切片７１Ａと７１Ｂとに分離する。これにより、包装容器７１が開封され、陰唇間パッド２が露出する。このため、同（Ｃ）に示すように、右手の人差し指を指挿入用口２３に挿入して陰唇間パッド２を指先に保持することができる。そして、包装容器７１を分離した際に、その上下端部７１ａと７１ｂとは互いに接合された状態が保たれていることから、切片７１Ａと７１Ｂとはそれぞれ袋状となっている。このため、同図の（Ｄ）に示すように、破断線７５に沿って破られた部分である開口から一本ずつ指を挿入し、切片７１Ａと７１Ｂは指サック状に指先に装着することができ、かかる状態の指先で陰唇を開くことにより、陰唇間パッド２を陰唇に装着する際に陰唇と指とが直接触れることが防止される。このように陰唇間パッド２を装着するにあたり、包装容器７１を利用するため、別途指サックをつける等の場合のように廃棄ゴミを多く出すことなく、清潔かつ速やかに着用操作を行なうことができる。
【０１４３】
なお、陰唇間パッド２は、第１８図に示すように、折り畳んで内包することもできる。この場合において、陰唇間パッド２は縦軸中心線にほぼ沿い帯体２２が取り付けられている反身体側面が互いに向き合うように折り畳まれていることが好ましい。このように折り畳むことにより、陰唇間に装着する身体側面を着用者が包装容器７１の開封時に瞬時に視認することができ、陰唇間への装着がスムーズなものとなる。
【０１４４】
第１７図の（Ａ）に示すように、包装容器７１に設ける破断線７５は、包装容器７１の長手方向の略中央において一方側部７１ｃから他方側部７１ｄに向かって設けられるが、第１９図に示すように、一方側部７１ｃから開始された破断線７５が他方側部７１ｄまでは延長されず、側部７１ｄの近傍で終了するようにしてもよい。この場合には、包装容器７１を開封するにあたっては、破断線７５に従った破断が破断線７５の終了地点で中断され、第２０図に示すように、指先に包装容器７１が装着されるまでの間に、完全には包装容器７１が分離されないこととなる。
【０１４５】
また、包装容器７１に内包される陰唇間パッド２（図示せず）は、破断線７５の開始位置のある端縁に帯体２２が向くようにして折り畳まれて内包されることとなる。このようにすることにより、帯体２２が自動的に着用者に目視可能な向きとなる。
【０１４６】
［他の実施形態］
＜第５実施形態＞
次に、陰唇間パッドを直接収納するための内包装容器とこの内包装容器を収納する外包装容器とから成る二重包装の包装容器について説明する。
【０１４７】
第２１図は、一連の包装用シート８０で内包装体８３Ａをくるむようにして外包装体８３Ｂとした状態を示す図であり、第２２図は、ポケット部８８を有する外包装容器８１Ｂを示す図であり、第２３図は、外包装容器８１Ｂに設けられたポケット部８８に内包装体８３Ａを収納して外包装体８３Ｂとした二重構造の包装体を示す図であり、第２４図は、外包装容器８１Ｂに設けられたポケット部８８の上に内包装体８３Ａを配置して外包装体８３Ｂとした二重構造の包装体を示す図であり、第２５図は、二重構造の包装容器に内包された陰唇間パッド２を取り出して指に装着する手順を示す工程図である。
【０１４８】
第２１図の（Ａ）に示すように、陰唇間パッド（図示せず）を直接内包した内包装体８３Ａには横方向に破断線８５が設けられており、この破断線８５に従って内包装容器８１Ａを開封することができる。この内包装体８３Ａ（図示せず）を包装用シート８０の上に配置し、同図の（Ｂ）に示すように、この内包装体８３Ａを包装用シート８０で横方向に包むよう包囲し、包装用シート８０の重なり部と上下両端縁を再剥離可能に接合する。この場合において、上下両端縁は内包装体８３Ａ（図示せず）の端縁に掛からないようにする。
【０１４９】
そして、包装用シート８０に取り付けられている止着テープ８４で包装用シート８０の重なり部を封止する。この止着テープ８４は、外包装体８３Ｂの封止状態を維持するとともに、開封時においてこれを掴むことができるものである。更に、廃棄する使用済み陰唇間パッド２を廃棄するにあたり、この使用済み陰唇間パッド２を包装用シート８０で再包装する際の封止手段とすることもできる。
【０１５０】
外包装容器８１Ｂは、ポケット部８８を有するものとすることもできる。具体的には、第２２図に示すように、包装用シート８０の止着テープ８４が取り付けられた端部とは反対の端部において、包装用シート８０を内側に折り畳んで、その一方側部である８０ｄのみ、あるいは８０ｃと８０ｄの両側部を接合することによりポケット部８８を形成する。包装用シート８０をこのようにして外包装容器８３Ｂを形成することにより、使用済みの陰唇間パッド２（図示せず）や指サックとして用いられた内包装容器８１Ａ（図示せず）を、外包装容器８１Ｂに予め設けられたポケット部８８に収納することができ、廃棄処理の利便性を一層高めることができる。
【０１５１】
このようなポケット部８８を有する外包装容器８１Ｂに内包装体８３Ａを内包する場合には、第２３図の（Ａ）に示すように、ポケット部８８内に内包装体８３Ａを収納し、外包装容器８１Ｂを止着テープ８４で封止して外包装体８３Ｂとするほか、第２４図の（Ａ）に示すように、ポケット部８８上に内包装体８３Ａが配置されるようにしてもよい。ポケット部８８内に内包装体８３Ａを収納した場合には、第２３図の（Ｂ）に示すように、外包装体８３Ｂの内部においてポケット部８８は陰唇間パッド２を包囲するように位置し、ポケット部８８の上に内包装体８３Ａを配置した場合には、第２４図の（Ｂ）に示すように、外包装体８３Ｂの内部においてポケット部８８は内包装体８３Ａの下面側に位置することとなる。
【０１５２】
このような二重構造の包装容器に内包された陰唇間パッド２を使用するにあたっては、第２５図の（Ａ）に示すように、まず、止着テープ８４が配置されている面を上として外包装体８３Ｂを保持し、かかる止着テープ８４を摘まんで外包装容器８１Ｂを開封する。次に、同図の（Ｂ）に示すように、内包装体８３Ａを取り出し、同図の（Ｃ）に示すように内包装体８３Ａを保持する。そして、同図の（Ｄ）に示すように内包装容器８１Ａを破断線８５に従って２つの小切片に切り離し、同図の（Ｅ）に示すように陰唇間パッド２を取り出して、指挿入用口２３から指を挿入して右手の指先に保持する。更に、同図の（Ｆ）に示すように２つの小切片となった内包装容器８１Ａを左手の２本の指先に保持する。
【０１５３】
＜第６実施形態＞
次に、ポケット部を有する包装容器について説明する。第２６図は、陰唇間パッド２を収納するためのポケット部９８を有する包装容器９１に陰唇間パッド２を内包した包装体９３の外部を示す図であり、第２７図は、第２６図のＦ−Ｆ視断面図であり、第２８図は、第２６図のＧ−Ｇ視断面斜視図であり、第２９図は、包装容器９１を開封した状態を示す断面斜視図であり、第３０図は、開封した包装容器９１内の陰唇間パッド２の指挿入用口２３に指を挿入して陰唇間パッド２を指先に保持する状態を示す図であり、第３１図は、使用済み陰唇間パッド２をポケット部９８付き包装容器９１を用いて取り外す過程を示す工程図である。
【０１５４】
〔包装容器の構成〕
第２６図に示す包装体９３には、第２７図に示すように、一連の包装用シートから成る包装容器９１において包装用シートの一方端部を一部折り曲げて形成されたポケット部９８内に、長手方向を中心軸として折り畳んだ陰唇間パッド２が内包されている。そして、更に他方端部をポケット部９８に重なるように折り畳み、重なった部分をヒートエンボスによる押し圧や雄雌のエンボスによる絡合等の公知技術により再剥離可能に接合し、包装容器９１を開封するためのプレ開封部９６としている。
【０１５５】
また、包装容器９１の上下端縁９１ａ及び９１ｂも、内包する陰唇間パッド２と重ならないようにして再剥離可能に接合されている。この接合状態をより強度なものとするためにヒートシールや雄雌のエンボス等の公知技術に加え、粘着剤を併用することができる。具体的には、第２８図に示すように、包装用シートの重なり合っているプレ開封部９６近傍において粘着剤を塗布しておく。粘着剤はホットメルト型粘着剤から限定されることなく選ばれ、面状、縞状、螺旋状、Ω状等公知の塗布パターンで塗布される。このようにすることより、後述する使用済み陰唇間パッド２を収納する際において、包装容器９１と陰唇間パッド２が剥離してしまう危険性を確実に解消することができる。なお、包装容器９１の開封前においては、陰唇間パッドは包装容器９１内に塗布された上記粘着剤によって再剥離可能に接着されている。
【０１５６】
ここで、第２９図から明らかなように、ポケット部９８の内部において、陰唇間パッド２は、裏面側シート２５が互いに向き合うように折り畳まれているため、帯体２２は最内面に位置付けられている。また、陰唇間パッド２は、縦軸中心線にほぼ沿うように折り畳み部が形成されているため、陰唇間パッド２を装着するにあたり、陰唇間パッド２の指挿入方向とその折癖が同一方向となり、着用者は容易に陰唇間パッド２を指先に保持することができる。この点、横軸を中心線として陰唇間パッド２を折り畳んだ場合は、指挿入方向と陰唇間パッド２の折り癖が異なる方向となってしまうため、着用者は折り畳まれた陰唇間パッド２を一度開いてから指を指挿入用口２３に挿入しなければならず、迅速かつスムーズな陰唇間パッド２の指先への装着を妨げることとなる。
【０１５７】
〔開封状態〕
第２９図に示すように、包装容器９１を開封した場合には、着用者は開封と同時に帯体２２を観察することができ、第３０図に示すように、そのまま指挿入用口２３に指を挿入し、陰唇間パッド２を指先に保持することができる。
【０１５８】
この点、包装容器９１のプレ開封部９６と陰唇間パッド２の折り畳み部とが同じ箇所に位置付けられた場合には、着用者が開封したときに陰唇間パッド２の折り畳み側が観察されてしまうことになり、着用者は陰唇間パッド２の指挿入用口２３を見出すために、陰唇間パッド２の向きを変えなければならず、操作が煩雑となり、スムーズな着用操作の障害となる。
【０１５９】
これに対し、本実施形態では、陰唇間パッド２の身体側面と指とが触れることなく、衛生的に陰唇間パッド２を取り出すことが可能なばかりでなく、陰唇間に装着する向きが仕向けられ、かつ、陰唇間に押し込むための長さ方向にわたる押し圧を陰唇間パッド２を確保した段階で得られることになる。即ち、指を挿入用口２３に挿入して陰唇間パッド２を指先に保持するという操作を一旦行なえば、そのままの状態で、包装容器９１からの取り出し、陰唇への装着、陰唇に対する押し当て、といった一連の操作を行うことができるのである。
【０１６０】
〔使用済み陰唇間パッドの廃棄〕
使用済み陰唇間パッド２を廃棄するにあたっては、まず、第３１図の（Ａ）に示すように、陰唇間パッド２の指挿入用口２３に指を挿入して陰唇間パッド２を指先に保持し、陰唇間から陰唇間パッド２を取り外す。次に、同図の（Ｂ）に示すように、包装容器９１のポケット部９８に陰唇間パッド２を保持した指を入れ、反対の手で包装容器９１の外側から陰唇間パッド２を掴む。そして、同図の（Ｃ）に示すように、右手を指挿入用口２３から引き抜き、同図の（Ｄ）に示すように、包装用シート９０を折り畳んでポケット部９８上に止着テープ９４で止着し、封止する。この止着テープ９４により、廃棄する時に包装体９３が解除されることが防止できる。止着テープ以外の他の封止手段としては、重なり部間に粘着剤を塗布する、マジックテープ（登録商標）を取り付ける、雄部と雌部とを互いに係合させるチャックを取り付ける等の手段がある。
【０１６１】
なお、陰唇間から陰唇間パッド２を取り外す際には、帯体２２を摘まんで取り外すこともできる。帯体２２は反身体側面に位置しているため、吸収した経血と帯体２２とが接触することはなく、陰唇間からの取り外しに際しても、着用者の指に経血が付着することはなく、清潔に保つことができる。
【０１６２】
＜第７実施形態＞
次に、開封口が２つある包装容器について説明する。第３２図は、２つの指挿入用口２１３Ａ及び２１３Ｂを有する陰唇間パッド２１０を内包する包装容器１０１を示す図である。
陰唇間パッド２１０には、着用者の陰唇深さに応じて選択可能なように２つの指挿入用口２１３Ａと２１３Ｂとが設けられている（第４７図参照）。この陰唇間パッド２１０の２つの指挿入用口に対応するように、包装容器１０１には２つのプレ開封部１０６Ａと１０６Ｂとが設けられている。そして、それぞれのプレ開封部にいずれの指挿入用口が位置するのかを示すマークとして、「浅」及び「深」という文字が付されている。このため、陰唇深さの浅い着用者であれば、第３２図の（Ａ）に示されるように、「浅」という文字が付されたプレ開封部１０６Ａを開封することを選択することでき、陰唇深さの深い着用者であれば、第３２図の（Ｂ）に示されるように、「深」という文字が付されたプレ開封部１０６Ｂから開封することを選択することができる。このように、包装容器１０１の外観からでも、着用者はいずれのプレ開封部を開封すればよいのかを判断することができるのである。
【０１６３】
＜第８実施形態＞
次に、模様によって開封方向が示された包装容器について説明する。第３３図は、模様１１７が付された包装容器１１１を示す図である。
第３３図に示される包装容器１１１のように、上下のある模様１１７を付したものとすることもできる。これにより、包装容器１１１にファッション性が付加されるのみならず、開封位置であるプレ開封部１１６が位置する上部を、着用者が一目で把握することができるのである。
【０１６４】
［陰唇間パッド収納用ポケット部付き生理用ナプキン個別包装用包装容器］
次に、陰唇間パッドを収納するためのポケット部を有する生理用ナプキン個別包装用包装容器について説明する。第３４図は、生理用ナプキンを内包するポケット部１２８付きの包装用シート１２０を示す図であり、第３５図は、生理用ナプキン１２９を包装用シート１２０で形成された包装容器１２１で内包して包装体１２３とする手順を示す工程図であり、第３６図は、第３５図の（Ｄ）のＨ−Ｈ視断面図であり、第３７図は、包装容器１２１を開封して生理用ナプキン１２９を取り出した後の包装用シート１２０を示す図である。
【０１６５】
第３４図に示す生理用ナプキン用の包装用シート１２０においては、一方端部を折り畳み、この折り畳んだ部分の包装用シート１２０の長手方向の両側部が重なる部分を熱シール等で接着することによりポケット部１２８が形成されている。
【０１６６】
ポケット部１２８は、別途材料を用い、これを包装用シート１２０の一部に接合することによっても形成することができる。この方法において、接合には、熱シール、超音波シール、ホットメルト型接着剤等を利用することができ、また、材料としては、フィルム、紙、不織布等を単独又はこれらを複合して使用することができる。
【０１６７】
包装用シート１２０で生理用ナプキン１２９を包装するにあたっては、第３５図の（Ａ）に示すように、まず、包装用シート１２０をポケット部１２８が上を向くようにして配置し、次に、同図の（Ｂ）に示すように、その上に生理用ナプキン１２９の身体側面が向くようにしてこれを配置する。次に、同図の（Ｃ）に示すように、ポケット部１２８を備えた包装用シート１２０の端部１２０ａを、生理用ナプキン１２９の端部１２９ａと一緒に内側に折り畳む。続いて同図の（Ｄ）に示すように、包装用シート１２０の他方端部１２０ｂ及び生理用ナプキンの他方端部１２９ｂをも内側に折り畳む。そしてこの折り畳み状態を維持するように、包装用シート１２０の側部１２０ａと１２０ｂとが重なっている重畳部の一部１２６を再開封可能に仮止めし、止着テープ１２４で封止する。また、包装容器１２１の上下となる包装用シート１２０の側部１２０ｃと１２０ｄをも再開封可能に熱シールや超音波シール等で仮止めする。これにより同図の（Ｅ）に示すように、包装体１２３が形成される。
【０１６８】
包装体１２３の内部は、第３６図に示すように、包装用シート１２０のみが折り畳まれる部分が形成されている。この部分は、第３４図に示すように生理用ナプキン１２９を内包する前に既に包装用シート１２０に形成されていたポケット部１２８であり、第３７図に示すように、包装容器１２１開封後、このポケット部１２８に使用済み陰唇間パッド２を収納することができる。
【０１６９】
包装体１２３から生理用ナプキン１２９を取り出すにあたっては、まず包装容器１２１の止着テープ１２４を掴み、これを引っ張って包装用シート１２０の一方側部１２０ｂを外側に開くようにして、仮止めされた重畳部１２６を開封し、次に、包装用シート１２０の他方側部１２０ａをも外側に開く。これにより包装容器１２１は完全に開封される。
【０１７０】
ここで、包装用シート１２０の端部１２０ｂを引っ張る方向と、ポケット部１２８が形成されている方向とは、その向きが反対となっている。このため、重畳部１２６を開封するための引っ張るという作業がポケット部１２８に影響を及ぼすことがなく、ポケット部１２８が破損する事態が低減される。
なお、ポケット部１２８の維持状態を強化するため、ポケット部１２８を形成するシール部の内面側にのみ接着剤を塗布し、ポケット部１２８の開口部を補強することもできる。
【０１７１】
生理用ナプキン１２９の反身体側面には下着に取り付けるための粘着剤が塗布されている。このため、この粘着剤の塗布領域に対応する部分において、包装用シート１２０には剥離部を設け、かかる粘着剤が剥離可能に保護されるようにする。このような剥離部は、剥離紙や剥離フィルム等の剥離性材料を別途取り付けるようにしてもよく、また、包装用シート自体に剥離処理を施したものであっても構わない。なお、剥離性材料を取り付ける場合には、これを包装用シートに予め接着剤で接着しておくのが好ましい。このようにすることにより、包装用シートとは別の剥離部材を粘着剤に貼った場合のように、生理用ナプキン１２９の取り付け操作中に余分な廃棄ゴミが出ることを防止することが可能となり、操作の簡便性を図ることができる。
本実施形態で使用できる生理用ナプキンの形態は特に限定されるものではなく、ウイング付きタイプ、ウイングなしタイプ等様々な物を使用できる。
【０１７２】
［包装体］
次に、包装容器のプレ開封部近傍に陰唇間パッドの指挿入用口が位置するように陰唇間パッドが内包された包装体について説明する。第３８図は、本実施形態の陰唇間パッド２が折り畳まれることなくそのまま包装容器１３１に内包されている包装体１３３を示す図であり、第３９図は、帯体２２が山折り状となるように陰唇間パッド２が折り畳まれて内包されている包装体１４３を示す図であり、第４０図は、観音開き状に開封される包装容器１５１に陰唇間パッド２が折り畳まれて内包されている包装体１５３を示す図であり、第４１図は、陰唇間パッド２が横軸を中心に折り畳まれて内包されている包装体と、陰唇間パッド２が両側部の一部のみを折り畳まれて内包されている包装体とを示す図である。
【０１７３】
第３８図に示されるように、上面１３１ａが下面１３１ｂから上方向に剥がされることにより開封されるような包装容器１３１に陰唇間パッド２を内包する場合には、帯体２２が上面を向くように陰唇間パッド２を配置して内包する。これにより、着用者は、包装容器１３１を開封後すぐに指挿入用口２３に指を挿入して、陰唇間パッド２を指先に保持することができる。なお、上面１３１ａには、その剥がし方向を明確にするために、マーキング１３４などを施しておくのが好ましい。
【０１７４】
上述の第３８図においては、陰唇間パッド２は折り畳まれることなくそのまま包装容器１３１に内包されているが、指挿入用口２３が包装容器開封時に自然に開くように、折り曲げて内包するのも好ましい。陰唇間パッド２を折り曲げるにあたっては、例えば、第３９図の（Ａ）に示されるように、陰唇間パッド２全体を山折り状として包装容器１４１に内包することができる。また、同図の（Ｂ）に示されるように、帯体２２のみを山折り状とする一方、陰唇間パッド２の本体部分については、反身体側に向かって谷折り状に折り畳んで包装容器１４１内に内包することもできる。なお、第４０図に示されるように、上端から左右両側１５１Ａと１５１Ｂとを左右に引っ張るようにして（いわゆる観音開き式に）開封する包装容器１５１のようなものであっても、帯体２２が山折り状になるようにして内包することができる。
【０１７５】
陰唇間パッド２の折り曲げ態様は、包装容器に合わせて適宜変更することが可能であり、例えば、第４１図の（Ａ）に示されるように、陰唇間パッド２を縦方向に半分に折り曲げるようにしても、第４１図の（Ｂ）に示されるように、陰唇間パッド２の両側部端部のみを折り曲げるようにしても構わない。
【０１７６】
［陰唇間パッド］
＜陰唇間パッドの基本構成＞
本実施形態の陰唇間パッドの基本構成について説明する。第４２図は、陰唇間パッド２の身体側面概略図を示す図であり、第４３図は、陰唇間パッド２の横断面概略図を示す図である。なお、陰唇間パッド２は、膣口から排出される経血以外の分泌物（おりもの）吸収用として使用することができ、また、陰唇間に位置する尿道口から排出される尿吸収用、即ち、尿失禁用として使用することもできる。
【０１７７】
本実施形態の陰唇間パッド２は、横寸法と縦寸法を有する実質的に縦長の形態を成している。なお、輪郭形状は、本実施形態においては楕円形状となっているが、陰唇間に好適に挟み込むことが可能な形状であればよく、長方形、長楕円、砂時計型等から任意に選ぶことができる。
【０１７８】
陰唇間パッド２の構成は、第４３図に示されるように、陰唇内面と直接接触する身体側面と着用者の反身体側に向いて陰唇内面とは接触しない反身体側面とを有する。そして、この身体側面に位置する透水性の表面側シート２４と、反身体側面に位置する不透水性の裏面側シート２５により吸収体２６を挟みこみ、吸収体２６の周縁において表面側シート２４と裏面側シート２５とを互いに接合している。
【０１７９】
そして、裏面側シート２５の反身体側面の側部には陰唇間パッド２の短手方向を横断するように陰唇間パッド用ミニシート片である帯体２２が取り付けられている。この帯体２２と裏面側シート２５との間において、指の挿入が可能な指挿入口２３が形成されている。
【０１８０】
帯体２２は、着用者が容易に識別できるようにするために、着色、印刷等の方法を用いて陰唇間パッドの裏面側シートと異なる色調又は模様としたり、色度を異なるように調整することもできる。
【０１８１】
＜陰唇間パッドの他の構成＞
次に、陰唇間パッド２の他の構造について説明する。第４４図は、吸収体２６の中央域を盛り上げた中高構造の陰唇間パッド２０を示す図であり、第４５図は、短手方向の長さ寸法が異なる２つのシートを重ね合わせて成る陰唇間パッド２００を示す図であり、第４６図は、陰唇の奥深く嵌合可能なメインシート体２１０Ａとサブシート体２１０Ｂの二層からなる陰唇間パッド２１０を示す図であり、第４７図は、陰唇間パッド２１０を指先に保持した状態を示す図である。
【０１８２】
第４４図に示される陰唇間パッド２０は、着用者の陰唇内と陰唇間パッド２０との密着性を高めるために、吸収体２６が短手方向の中央において一部盛り上がるようになっている。このため、経血が外部へモレ出してしまう事態を低減させることができる。
【０１８３】
第４５図に示される陰唇間パッド２００は、短手方向の長さ寸法が短い補助シート体２０１を通常の陰唇間パッド２０２の身体側面に重ね、前後を互いに粘着剤若しくは熱シール、超音波シール等で接合し、あるいは、重ね合せ部を粘着剤で互いに接合し、あるいは双方を併用して接合したものである。この補助シート体２０１により、陰唇間パッド２０２の体液吸収能を向上させ、経血のモレ防止効果を高めることができる。
【０１８４】
更に、第４６図に示される陰唇間パッド２１０は、メインシート体２１０Ａと、サブシート体２１０Ｂとから成り、両者は長手方向の各側部において接合状態であって、その内側においては両者が離間しているとともに、短手方向においては両袖部のうち少なくとも一方の袖部が非接合状態となっている。このため、着用者は、メインシート体２１０Ａとサブシート体２１０Ｂとの間における第１の指挿入用口２１３Ａ、陰唇間パッド用ミニシート体２１２とサブシート体２１０Ｂとの間における第２の指挿入用口２１３Ｂ、の２箇所に指を挿入することができる。従って、着用者は自己の陰唇深さに応じていずれかを選択することができるのであり、例えば、陰唇深さの浅い着用者は、第４７図の（Ａ）に示されるように、第１の指挿入用口２１３Ａから指を挿入し、一方、陰唇深さの深い着用者は、同図の（Ｂ）に示されるように、第２の指挿入用口２１３Ｂから指を挿入する。
【０１８５】
なお、このような陰唇間パッド２１０を内包するための包装容器は、上述の第３２図に示される包装容器１０１のように、プレ開封部が２箇所設けられているのが好ましい。なお、かかる包装容器１０１に陰唇間パッド２１０を内包するにあたっては、「浅」の文字が付されたプレ開封部１０６Ａには指挿入用口２１３Ａを位置付け、「深」という文字が付されたプレ開封部１０６Ｂの周辺には指挿入用口２１３Ｂを位置付けるようにする。
【０１８６】
［包装容器の構成材料］
＜包装用シート＞
包装容器に用いられる包装用シートには、公知の物を用いることができる。例えば、厚さ１５〜６０ミクロンのポリエチレン、ポリルロピレンポリエステル、ポリビニルアルコール、ポリ乳酸、ポリブチルサクシネート、或いは不織布、紙、及びこれらのラミネート材料が挙げられる。具体的には、ＬＤＰＥ（低密度ポリエチレン）樹脂を主成分とした目付け１５〜３０ｇ／ｍ２の範囲で調整されたフィルムが一般的に使用される。
【０１８７】
好適なものとしては、ワイピング性と液遮断性等を考慮し、不織布又は紙で外面側をフィルムで構成したラミネート材料が挙げられる。詳細には、スパンボンド・メルトブローン・スパンボンドが６〜１０ｇｓｍ・５〜２０ｇｓｍ・６〜１０ｇｓｍ重量で構成される複合不織布の片側に、目付け５〜２０ｇ／ｍ２の範囲で調整されたＬＤＰＥ樹脂を主体としたフィルムをラミネートした複合体を使用することができる。
【０１８８】
また、水洗適性を考慮した場合には、生分解性であるポリ乳酸、ホリブチルサクシネート、ポリ乳酸、ポリイソシアネート、澱粉等の不織布、フィルムから得られ、水溶性であればポリビニルアルコールを主体としたフィルムから得られ、並びにトイレットペーパーを使用することも可能である。具体的には、ポリビニルアルコールを目付け５〜１０ｇ／ｍ２の範囲で調整したフィルムと目付け１５〜３０ｇ／ｍ２の範囲で調整される水解性紙とのラミネート体が挙げられる。
【０１８９】
包装用シートは、使用後の陰唇間パッドを廃棄処理する際に、使用済み陰唇間パッドを包み込んで廃棄処理するのに用いることもできる。この場合には、陰唇間パッドに付着ないし吸収された経血が、包装用シートから滲み出さないようにすること、すなわち、使用後の陰唇間パッドを包んだ包装シートを掴んだ際に、指に経血が付着しないようにすることが好ましい。従って、液遮断性に富む材料、例えば、厚さ１５〜６０μｍ程度のポリエチレン、ポリプロピレン等からなるフィルム、あるいは前記フィルム素材を不織布や紙にラミネート加工したラミネート材を用いるとよい。
【０１９０】
また、包装用シートは、陰唇間パッドに付着ないし吸収された経血の色を遮蔽できることが好ましい。このような遮蔽効果を得るためには、例えば、包装用シートに顔料５〜４０重量％、樹脂１０〜２０重量％、溶剤４０〜８５重量％からなるインキをグラビア印刷などで印刷する、もしくは、予め包装用シート材料の原料樹脂に対して、顔料を０．２〜１０重量％の範囲で混入することで不透明化させたシート材料などを用いるとよい。あるいは包装用シートを染色してもよい。用いられる顔料や染料は白色でも、有色であっても良く、例として塩基性染料ではＣ．Ｉ．ベイシックバイオレット３等、建染染料ではＣ．Ｉ．バッドブルー１等、酸性染料では青色１号・青色２号・Ｃ．Ｉ．アッシドレッド５１等、直接染料ではＣ．Ｉ．ダイレクトイエロー１２・Ｃ．Ｉ．ダイレクトオレンジ２６・Ｃ．Ｉ．ダイレクトバイオレット５１・Ｃ．Ｉ．ダイレクトブルー１・Ｃ．Ｉ．ダイレクトレッド２３等、反応染料ではＣ．Ｉ．リアクティブオレンジ１６・Ｃ．Ｉ．リアクティブブラック５・Ｃ．Ｉ．リアクティブブルー２１・Ｃ．Ｉ．リアクティブレッド２１等、無機顔料では酸化チタン・チタンイエロー・炭酸カルシウム・カーボンブラック・グンジョウ等、有機顔料では黄色４０１号・だいだい色２０４号・青色４０４号・赤色２０１号・Ｃ．Ｉ．ピグメントイエロー１４・Ｃ．Ｉ．ピグメントグリーン７・Ｃ．Ｉ．ピグメントバイオレット１９・Ｃ．Ｉ．ピグメントブルー２７・Ｃ．Ｉ．ピグメントレッド１６６等を単独もしくは所要に配合して用いることができる。
【０１９１】
プレ開封口やプレ開封部を形成する包装用シートの重畳部は、再剥離可能であって異物の混入が防止できるようにするのが好ましい。このようなものとしては、止着テープで包装用シートの重なっている部分を互いに覆うように配置するほか、少量の粘着剤を重なり方向に沿って塗布する、エンボスにより接合する、エンボスによる接合域の内側にミシン目を入れる等の公知技術により形成することができる。
【０１９２】
＜包装容器用ミニシート片＞
包装容器用ミニシート片に使用する材料は、指を挿入した際に破損しない程度の強度を有することを考慮した上で選択することが好ましく、不織布シート、弾性伸縮性不織布、フィルム、フォームフィルム、エラスティックフィルム、発泡シート、薄葉紙等を単独で又はこれらをラミネート加工したものの中から選択することが可能である。好ましくは、横方向破断強度が少なくとも０．６Ｎ／ｉｎｃｈであり、こわさを考慮した場合には、０．６〜２．５Ｎ／ｉｎｃｈの範囲から選ばれる。具体的には、密度０．９１５のＬＤＰＥ樹脂を主成分とした厚さ１５〜３０ミクロンに調整されたフィルムであり、特に好ましいものとしては、包装容器用ミニシート片からの指の引き抜きが容易となるものであり、毛細管を有する密度０．９２０のＬＤＰＥ樹脂を主成分とし、嵩が０．３〜１．０ｍｍ、開孔率が１５〜６０％、孔径が０．３〜１．５ｍｍを有するフォームフィルムが挙げられる。
【０１９３】
なお、生分解性や水洗可能性を持たせるためには、前記構造物を構成する合成樹脂を、ポリ乳酸、ポリブチルサクシネート、ＰＶＡ樹脂等の生分性解又は水溶性樹脂に代替えすればよい。また、ティッシュと前記生分解性又は水溶性樹脂とのラミネート材料としてもよい。
【０１９４】
前記包装容器用ミニシート片は、着用者の指先サイズにかかわらず、本発明に係る陰唇間パッドを効果的に使用することができるようにするために、裏面側シートの短手方向に対して伸長性もしくは弾性伸縮性を持たせることも有効である。
【０１９５】
包装容器用ミニシート片に伸長性を持たせるためには、つかみ間隔１００ｍｍ、引張速度を１００ｍｍ／分で定速伸張した場合の５％伸長時の応力が０．１〜０．５Ｎ／２５ｍｍである伸長性スパンボンド不織布を使用することができる。また、ミニシート片に弾性伸縮性を持たせるためには、熱可塑性エラストマー樹脂を使用した繊維状シートやフィルムシート、及びそれら熱可塑性エラストマー樹脂や天然ゴム等の弾性伸縮性素材を単独で使用してもよく、又は非弾性伸縮性素材と組み合わせて使用してもよい。
【０１９６】
また、伸縮性を付与するためには、前記ＬＤＰＥ樹脂を主体としたフィルムにコルゲート加工を施すこともできる。
【０１９７】
＜止着テープ＞
止着テープはフィルム層の片面に粘着剤が塗布されたもの、又は水洗性を考慮した場合はティッシュに片側に粘着剤を塗布したもの等公知のものを使用することができ、限定されるものではない。
【０１９８】
［生菌数抑制処置］
本発明に係る個別包装用包装容器、特に陰唇間パッドに接触する部分や操作用部材となる部分に対し、生菌数を抑える処置がなされていれば、衛生面からなお好ましい。生菌数を抑える処置としては、製造時における滅菌ないし殺菌処理、個別包装用包装容器の素材への抗菌素材の使用、などが挙げられる。
【０１９９】
［使用方法の情報提供］
次に、包装容器に内包されている陰唇間パッドの使用方法及びその情報提供手段について説明する。
【０２００】
＜第１実施形態に係る包装容器に内包されている陰唇間パッドの装着手順＞
（１）三つ折り状の包装用シートから成る包装容器のプレ開封口を開封し、陰唇間パッドの指挿入用口を露出させ、そこに利き手の指を挿入する。
（２）他方の手の２本の指を包装容器の指挿入用口に挿入する。
（３）（２）で挿入した２本の指を左右に開き、破断線に従って包装容器の一部又は全部を分離する。
（４）（３）で分離した包装容器の切片を保持した指で陰唇を横方向に広げる。
（５）利き手の指に保持された陰唇間パッドを、装着ポイントを探知しながら陰唇間に装着する。
（６）包装容器の切片を廃棄する。
【０２０１】
＜第２実施形態に係る包装容器に内包されている陰唇間パッドの装着手順＞
（１）二つ折り状の包装用シートから成る包装容器に取り付けられたタブを摘まんで左右に開くことによりプレ開封口を開封し、陰唇間パッドの指挿入用口を露出させ、そこに利き手の指を挿入する。
（２）他方の手の２本の指を包装容器の側部に設けられた指挿入部にそれぞれ挿入する。
（３）（２）で挿入した２本の指を左右に開き、破断線に従って包装容器の一部又は全部を分離する。
（４）（３）で分離した包装容器の切片を保持した指で陰唇を横方向に広げる。
（５）利き手の指に保持された陰唇間パッドを、装着ポイントを探知しながら陰唇間に装着する。
（６）包装容器の切片を廃棄する。
【０２０２】
＜第３実施形態に係る包装容器に内包されている陰唇間パッドの装着手順＞
（１）豆莢状の包装用容器の一部を破断線に従ってちぎり取っていき、陰唇間パッドの指挿入用口を露出させ、そこに利き手の指を挿入する。
（２）他方の手の２本の指を包装容器側部にある指挿入部にそれぞれ挿入する。
（３）（２）で挿入した２本の指を左右に開き、破断線に従って包装容器の一部又は全部を分離する。
（４）（３）で分離した包装容器の切片を保持した指で陰唇を横方向に広げる。
（５）利き手の指に保持された陰唇間パッドを、装着ポイントを探知しながら陰唇間に装着する。
（６）包装容器の切片を廃棄する。
【０２０３】
＜第４実施形態に係る包装容器に内包されている陰唇間パッドの装着手順＞
（１）包装容器の中央にある破断線に従って包装容器を切り離して２つの切片に分離する。
（２）陰唇間パッドを取り出して陰唇間パッドの指挿入用口から利き手の指を挿入する。
（３）（１）で２つに分離した包装容器を他方の手の２本の指にかぶせる。
（４）包装容器の切片を保持した指で陰唇を横方向に広げる。
（５）利き手の指に保持された陰唇間パッドを、装着ポイントを探知しながら陰唇間に装着する。
（６）包装容器の切片を廃棄する。
【０２０４】
＜第５実施形態に係る包装容器に内包されている陰唇間パッドの装着手順＞
【０２０５】
（１）外側に位置する三つ折り状の包装用シートから成る包装容器を開封し、内側に位置する内包装体を取り出す。
（２）内包装体を中央部分にある破断線に沿って分離する。
（３）陰唇間パッドを取り出して陰唇間パッドの指挿入用口から利き手の指を挿入する。
（４）（２）で分離した内包装容器を他方の手の２本の指にかぶせる。
（５）内包装容器の切片を保持した指で陰唇を横方向に広げる。
（６）利き手の指に保持された陰唇間パッドを、装着ポイントを探知しながら陰唇間に装着する。
（７）内包装容器の切片を廃棄する。
【０２０６】
＜第６実施形態に係る包装容器に内包されている陰唇間パッドの装着手順＞
（１）止着テープを引っ張って包装用シートを外側に開いてポケット部を露出させる。
（２）ポケット部に内包（あるいはポケット部の上に位置）されている陰唇間パッドの指挿入用口に指を挿入する。
（３）ポケット部から指を引き抜くことにより陰唇間パッドを包装容器から取り出す。
（４）利き手の指に保持された陰唇間パッドを、装着ポイントを探知しながら陰唇間に装着する。
【０２０７】
＜第７実施形態に係る包装容器に内包されている陰唇間パッドの装着手順＞
（１）包装容器のプレ開封部近傍に付されたマークにより、２つのプレ開封部のうち、いずれのプレ開封部が自己の陰唇の深浅に適するかを確認する。
（２）自己の陰唇の深浅に適した文字が付されたプレ開封部を開封し、自己の陰唇の深浅に相応しい陰唇間パッドの指挿入用口を露出させる。
（３）（２）で露出させた指挿入用口に利き手の指を挿入する。
（４）利き手の指に保持された陰唇間パッドを、装着ポイントを探知しながら陰唇間に装着する。
【０２０８】
＜第８実施形態に係る包装容器に内包されている陰唇間パッドの装着手順＞
（１）模様によって包装容器の上下を確認し、正しい向きに包装容器を保持する。
（２）プレ開封部を確認し、これを開封する。
（３）開封した包装容器内の陰唇間パッドに取り付けられた陰唇間パッド用ミニシート片を確認し、陰唇間パッドの反身体側面とミニシート片との間の指挿入用口に指を挿入する。
（４）挿入した指先に保持した陰唇間パッドを、指を持ち上げるようにして包装容器から取り出す。
【０２０９】
以上の使用方法は、包装容器に内包された陰唇間パッドを陰唇間に装着するまでの正しい使用方法を誘導するためのものであり、陰唇間パッド単独使用、又は陰唇間パッドと生理用ナプキンやパンティライナー等のシート状吸収性物品、タンポン、パンツ型生理用ナプキンとの併用使用等限定されるものではない。なお、生理用ナプキンやタンポンなどの他の生理用品と併用する場合には、上記使用手順に入る前に、生理用ナプキンを下着に固定する、タンポンを膣口へ挿入する等の作業が行なわれることとなる。
【０２１０】
＜陰唇間パッドの取り外し（交換）手順＞
（１）下着を下ろす。
（２）使用済み陰唇間パッドを陰唇間から取り外す。あるいは放尿とともに便器内に廃棄する。
（３）ティッシュ等のワイピング可能なシートで局部を拭き取る。
（４）新たな陰唇間パッドを装着する。
（５）下着を上げる。
上記（２）または（４）、あるいはその両方で、本発明の陰唇間パッド個別包装用包装容器を操作用部材として使用する。
なお、他の生理用品と併用使用している場合には、上記使用手順のほか、かかる生理用品を廃棄する工程が加えられる。
【０２１１】
＜使用方法の情報の提供＞
本発明に係る陰唇間パッドについては、その装着方法を誤ってしまうことを防止するために、上述のような使用方法の情報を着用者に提供するのが好ましい。
【０２１２】
ここで、着用者が陰唇間パッドの装着方法を誤ってしまう場合としては、例えば、陰裂に対して陰唇間パッドを横向きに装着しようとする場合、陰唇間パッドをタンポンのように膣口に対して縦に陰唇間パッドを挿入しようとする場合、陰唇間パッドの表裏を逆に装着してしまう場合、陰唇間パッドを陰唇内に嵌合させることなく併用する生理用ナプキンの表面に載せるようにして配置してしまう場合、などが挙げられる。このような場合には、着用感を著しく害したり、過度に経血のモレを誘発したり、着用者の内股から陰唇間パッドが脱落してしまったりするおそれがある。
【０２１３】
このような誤装着を防止するために、本発明に係る陰唇間パッド及び包装容器については、着用者に対してその使用方法を正しく伝えて効果を十分発揮させるようにし、また速やかに着用操作を行なうことができるように、その操作方法が着用者に明確に示されるのが好ましい。
【０２１４】
使用方法に関する情報を着用者に伝える方法としては、個別包装容器内に陰唇間パッドとともに使用手順の説明を備える、個別包装容器の表面や内面に使用方法を印刷する、外装パッケージの中に説明書を封入する、提携雑誌に商品説明とともに使用方法を提示する、インターネットのホームページに使用方法を提示する、店頭の陳列棚に合わせて使用方法を提示する、サンプリングの商品包装内に説明書を封入する、女性用トイレ内に説明書をポスティングする、お客様相談室にて口頭で説明する、等の方法が挙げられる。このような方法のうち、好ましいものとしては、着用者が使用する度に確認できるようなものであり、個別包装容器内に陰唇間パッドとともに使用手順の説明を備える、個別包装容器の表面や内面に使用方法を印刷する、より好ましいものとしては、陰唇間パッドを収納する外装パッケージ内に陰唇間パッドとともに説明書を同封する方法がある。
【０２１５】
個別包装容器に説明手順の説明を備える方法としては、例えば、第４８図に示すように、包装用シート１６０の内側において、説明書１６８を配置し、陰唇間パッド２を内包するにあたって包装用シート１６０と一緒に説明書１６８を折り畳み、包装体１６３とする。これにより、第４９図に示すように、包装容器１６１を開封したときに説明書１６８が即座に露出するため、着用者が陰唇間パッド２を使用する際に必ず説明書１６８が目に触れることとなる。
【０２１６】
また、個別包装容器に使用手順を印刷する方法としては、着用者が当該印刷部分を見逃すことが防止されるように、個別包装容器を開封するためのプレ開封部近傍に印刷することが好ましい。具体的には、第５０図に示すように、着用者が折り畳まれた包装用シート１９０を開いて包装容器１９１を開封するという作業に伴って順を追って使用手順を見ることができるようにするために、番号や記号を用いて視線を誘導するようにする。なお、使用手順の印刷は、このような番号や記号に従って図や文章を用いて行なうことができるが、図柄のみの印刷であっても構わない。また、印刷される文章の方向は、開封方向と直交するように施されるのが好ましい。着用者の正面を向くように、使用手順を個別包装容器に直接印刷した場合には、説明書を別途備え付ける場合に比し、陰唇間パッド使用の都度にかかる説明書を廃棄しなければならないという面倒な作業が省かれ、より装着の簡便性が図れることとなる。
【０２１７】
外装パッケージ内に説明書を同封する方法としては、カートン又は熱可塑性樹脂により成型されたボックス型の外装パッケージにおいて、天面に陰唇間パッドを取り出すための間口が設け、かかる間口を開けると同時に説明書が取り出せるようにする形態が特に好ましい。
【０２１８】
また、外装パッケージの天面の表側（表面）あるいは裏側（内面）に説明書を貼り付けたり、外装パッケージの天面の表面や内面、あるいは前面（特に前面上部）に、説明文や説明図を直接印刷することもできる。このようにすることにより、着用者が外装パッケージから陰唇間パッド個別包装体を取り出す度に、説明文や説明図を着用者に視認させるようにすることが可能となる。
【０２１９】
外装パッケージとしては、着用者の好みや使いやすさ、生産工程の容易さ、流通性の優劣性等の観点から様々な形状を採用することができる。例えば、第５１図から第５６図に示すような外装パッケージを用い、その中に個別包装容器を内包させることができる。
【０２２０】
なお、個別包装容器や外装パッケージに備え付ける説明書としては、第５７図に示すように、写真とその写真に対応する説明文を組み合わせたものが例として挙げられる。
【０２２１】
産業上の利用の可能性
以上説明したように、本発明によれば、着用者が陰唇間パッドの装着又は取り外しをする際に、陰唇間パッド用包装容器を利用することができる。このため、装着又は取り外し作業を複雑化することなく、着用者の指が陰唇に接触することを防止しながらかかる作業を行なうことが可能となる。
【０２２２】
また、陰唇間パッド個別包装用包装容器の開封後、即座に陰唇間パッドの指挿入用口に指を挿入できるように陰唇間パッドが陰唇間パッド個別包装用包装容器に内包されているため、陰唇間パッドの指先への保持を迅速かつスムーズに行なうことができ、陰唇間パッド装着又は取り外し作業の一層の迅速化を図ることも可能となる。
【図面の簡単な説明】
【０２２３】
第１図は、第１実施形態の陰唇間パッド個別包装容器を示す図であって、包装用シートで陰唇間パッド内包しながら包装体を形成する過程を示す工程図である。
第２図は、第１図の（Ｄ）のＡ−Ａ視断面図である。
第３図は、第１実施形態の陰唇間パッド個別包装用包装容器のプレ開封口を開封する手順を示す工程図である。
第４図は、本実施形態の陰唇間パッドに取り付けられた陰唇間パッド用ミニシート片に指を挿入した状態を示す図である。
第５図は、第３図の反対面を示す図である。
第６図は、第１実施形態の陰唇間パッド個別包装用包装容器の包装容器用ミニシート片の他の形態を示す図である。
第７図は、第１実施形態の陰唇間パッド個別包装用包装容器を破断線に従って分離する手順を示す工程図である。
第８図は、第１実施形態の陰唇間パッド個別包装用包装容器が分離された切片を利用して陰唇間パッドを装着する状態を説明する説明図である。
第９図は、第２実施形態の陰唇間パッド個別包装用包装容器を示す図であって、包装用シートで陰唇間パッドを内包する過程を示す工程図である。
第１０図は、第９図の（Ｃ）のＤ−Ｄ視断面図である。
第１１図は、第２実施形態の陰唇間パッド個別包装用包装容器の他の構成を示す図であって、プレ開封口が破断線により形成されている形態を示す図である。
第１２図は、第２実施形態の陰唇間パッド個別包装用包装容器の他の構成を示す図であって、陰唇間パッド個別包装用包装容器が２枚の包装用シートを貼り合わすことにより形成されている形態を示す図である。
第１３図は、第２実施形態の陰唇間パッド個別包装用包装容器におけるプレ開封口を開封する手順と当該陰唇間パッド個別包装用包装容器の分離手順を示す図である。
第１４図は、第３実施形態の陰唇間パッド個別包装用包装容器におけるプレ開封縁を形成する破断線の開封手順と当該陰唇間パッド個別包装用包装容器の分離手順を示す図である。
第１５図は、第４実施形態の陰唇間パッド個別包装用包装容器を示す図である。
第１６図は、第１５図のＥ−Ｅ視断面図である。
第１７図は、第４実施形態の包装容器を２つの切片に分離して開封する手順と２つの切片を指先に装着する手順を示す工程図である。
第１８図は、陰唇間パッドを折り畳んで内包した状態を示す包装体の縦断面図である。
第１９図は、第４実施形態の陰唇間パッド個別包装用包装容器の他の構成を示す図であって、一方側部から開始された破断線が他方側部は延長されていない包装体を示す図である。
第２０図は、第１９図に示す陰唇間パッド個別包装用包装容器の破断線を破断して指先に装着する状態を示す図である。
第２１図は、第５実施形態の包装容器を示す図である。
第２２図は、第５実施形態の陰唇間パッド個別包装用包装容器の外包装容器がポケット部を有する状態を示す図である。
第２３図は、第５実施形態の陰唇間パッド個別包装用包装容器の外包装容器に設けられたポケット部に内包装体を収納して外包装体とした状態を示す図である。
第２４図は、第５実施形態の陰唇間パッド個別包装用包装容器の外包装容器に設けられたポケット部の上に内包装体を配置して外包装体とした状態を示す図である。
第２５図は、第５実施形態の陰唇間パッド個別包装用包装容器の開封手順と内包装体包装容器の分離手順を示す図である。
第２６図は、第６実施形態の陰唇間パッド個別包装用包装容器に陰唇間パッドを収納した包装体を示す図である。
第２７図は、第２６図のＦ−Ｆ視断面図である。
第２８図は、第２６図のＧ−Ｇ視断面斜視図である。
第２９図は、第６実施形態の陰唇間パッド個別包装用包装容器を開封した状態を示す断面斜視図である。
第３０図は、開封した第６実施形態の陰唇間パッド個別包装用包装容器のポケット部内に収納されている陰唇間パッドの指挿入用口に指を挿入して陰唇間パッドを指先に保持する状態を示す図である。
第３１図は、使用済み陰唇間パッドを第６実施形態の陰唇間パッド個別包装用包装容器を用いて取り外す過程を示す工程図である。
第３２図は、第７実施形態の陰唇間パッド個別包装用包装容器を示す図である。
第３３図は、第８実施形態の陰唇間パッド個別包装用包装容器を示す図である。
第３４図は、生理用ナプキンを内包するポケット部付き包装用シートを示す図である。
第３５図は、生理用ナプキンをポケット部付き生理用ナプキン用包装容器で内包して包装体とする手順を示す工程図である。
第３６図は、第３５図の（Ｅ）のＨ−Ｈ視断面図である。
第３７図は、包装容器を開封して生理用ナプキンを取り出した後のポケット部付き包装用シートを示す図である。
第３８図は、本実施形態の陰唇間パッドが折り畳まれることなくそのまま陰唇間パッド個別包装用包装容器に内包されている包装体を示す図である。
第３９図は、本実施形態の陰唇間パッドが陰唇間パッド用ミニシート片が山折り状になるように折り畳まれて陰唇間パッド個別包装用包装容器に内包されている包装体を示す図である。
第４０図は、本実施形態の陰唇間パッドが観音開き状に開封される陰唇間パッド個別包装用包装容器に内包されている包装体を示す図である。
第４１図は、陰唇間パッドの異なる折り畳み方を示す図である。
第４２図は、陰唇間パッドの身体側面概略図を示す図である。
第４３図は、陰唇間パッドの横断面概略図を示す図である。
第４４図は、他の構成の陰唇間パッドであって、内包する吸収体の中央域を盛り上げた中高構造の陰唇間パッドを示す図である。
第４５図は、短手方向の長さ寸法が異なる２つのシートを重ね合わせて成る陰唇間パッドを示す図である。
第４６図は、メインシート体とサブシート体とからなる陰唇間パッドを示す図である。
第４７図は、指挿入用口が２つある陰唇間パッドを指先に保持した状態を示す図である。
第４８図は、陰唇間パッド個別包装用包装容器に説明書を内包させた状態を示す図である。
第４９図は、説明書を備えた陰唇間パッド個別包装用包装容器を開封した状態を示す断面斜視図である。
第５０図は、使用手順の説明を印刷した陰唇間パッド個別包装用包装容器を開封する手順を示す工程図である。
第５１図は、陰唇間パッド個別包装容器を包装する外装パッケージの開封前後の状態を示す図である。
第５２図は、陰唇間パッド個別包装容器を包装する外装パッケージの開封前後の状態を示す図である。
第５３図は、陰唇間パッド個別包装容器を包装する外装パッケージの開封前後の状態を示す図である。
第５４図は、陰唇間パッド個別包装容器を包装する外装パッケージの開封前後の状態を示す図である。
第５５図は、陰唇間パッド個別包装容器を包装する外装パッケージの開封前後の状態を示す図である。
第５６図は、陰唇間パッド個別包装容器を包装する外装パッケージの開封前後の状態を示す図である。
第５７図は、陰唇間パッド装着手順を示す説明図である。
第５８図は、陰唇間パッドの短手方向における長さ寸法を説明するための説明図である。
【図１】
0004230779.tif 000002
【図２】
0004230779.tif 000003
【図３】
0004230779.tif 000004
【図４】
0004230779.tif 000005
【図５】
0004230779.tif 000006
【図６】
0004230779.tif 000007
【図７】
0004230779.tif 000008
【図８】
0004230779.tif 000009
【図９】
0004230779.tif 000010
【図１０】
0004230779.tif 000011
【図１１】
0004230779.tif 000012
【図１２】
0004230779.tif 000013
【図１３】
0004230779.tif 000014
【図１４】
0004230779.tif 000015
【図１５】
0004230779.tif 000016
【図１６】
0004230779.tif 000017
【図１７】
0004230779.tif 000018
【図１８】
0004230779.tif 000019
【図１９】
0004230779.tif 000020
【図２０】
0004230779.tif 000021
【図２１】
0004230779.tif 000022
【図２２】
0004230779.tif 000023
【図２３】
0004230779.tif 000024
【図２４】
0004230779.tif 000025
【図２５】
0004230779.tif 000026
【図２６】
0004230779.tif 000027
【図２７】
0004230779.tif 000028
【図２８】
0004230779.tif 000029
【図２９】
0004230779.tif 000030
【図３０】
0004230779.tif 000031
【図３１】
0004230779.tif 000032
【図３２】
0004230779.tif 000033
【図３３】
0004230779.tif 000034
【図３４】
0004230779.tif 000035
【図３５】
0004230779.tif 000036
【図３６】
0004230779.tif 000037
【図３７】
0004230779.tif 000038
【図３８】
0004230779.tif 000039
【図３９】
0004230779.tif 000040
【図４０】
0004230779.tif 000041
【図４１】
0004230779.tif 000042
【図４２】
0004230779.tif 000043
【図４３】
0004230779.tif 000044
【図４４】
0004230779.tif 000045
【図４５】
0004230779.tif 000046
【図４６】
0004230779.tif 000047
【図４７】
0004230779.tif 000048
【図４８】
0004230779.tif 000049
【図４９】
0004230779.tif 000050
【図５０】
0004230779.tif 000051
【図５１】
0004230779.tif 000052
【図５２】
0004230779.tif 000053
【図５３】
0004230779.tif 000054
【図５４】
0004230779.tif 000055
【図５５】
0004230779.tif 000056
【図５６】
0004230779.tif 000057
【図５７】
0004230779.tif 000058
【図５８】
0004230779.tif 000059